(57)【要約】  ユーザ端末は、同一の又は異なるデータベアラに属するトラフィックをセルラ通信及びＷＬＡＮ通信を併用して送受信するセルラ・ＷＬＡＮアグリゲーションを実行中に、前記ＷＬＡＮ通信における無線リンク障害が発生したと判断する制御部を備える。
2016013591.tif 000002
【特許請求の範囲】
【請求項１】
セルラ通信及びＷＬＡＮ通信をサポートするユーザ端末であって、
同一の又は異なるデータベアラに属するトラフィックを前記セルラ通信及び前記ＷＬＡＮ通信を併用して送受信するセルラ・ＷＬＡＮアグリゲーションを実行中に、前記ＷＬＡＮ通信における無線リンク障害が発生したと判断する制御部を備えることを特徴とするユーザ端末。
【請求項２】
前記制御部は、所定の判定条件に基づいて、前記ＷＬＡＮ通信から前記セルラ通信に切り替えるか否かの切り替え判定を行い、
前記制御部は、前記所定の判定条件が満たされた場合、前記ＷＬＡＮ通信における無線リンク障害が発生したと判断することを特徴とする請求項１に記載のユーザ端末。
【請求項３】
前記制御部は、前記ＷＬＡＮ通信における無線リンク障害が発生したと判断した場合、当該無線リンク障害に関する無線リンク障害報告を前記セルラ通信により基地局に送信することを特徴とする請求項１に記載のユーザ端末。
【請求項４】
前記制御部が前記ＷＬＡＮ通信における無線リンク障害が発生したと判断した場合、当該無線リンク障害に関する無線リンク障害報告を前記セルラ通信により基地局に送信する送信部をさらに備えることを特徴とする請求項１に記載のユーザ端末。
【請求項５】
前記送信部は、前記ＷＬＡＮ通信における周波数帯の干渉状況、前記ＷＬＡＮ通信における送受信の失敗、前記ＷＬＡＮ通信を行っているアクセスポイントからの無線信号の受信強度、及び、前記アクセスポイントとの接続の断絶、の少なくともいずれか一つを理由として含む前記無線リンク障害報告を送信することを特徴とする請求項４に記載のユーザ端末。
【請求項６】
セルラ通信及びＷＬＡＮ通信をサポートするセルラ・ＷＬＡＮ一体型である、又は、前記ＷＬＡＮ通信をサポートするアクセスポイントと接続し前記セルラ通信をサポートする基地局であって、
同一の又は異なるデータベアラに属するデータを前記セルラ通信及び前記ＷＬＡＮ通信を併用して送受信するセルラ・ＷＬＡＮアグリゲーションを制御する制御部と、
前記セルラ・ＷＬＡＮアグリゲーションを制御中に、前記セルラ・ＷＬＡＮアグリゲーションを実行するユーザ端末又は前記アクセスポイントから、前記ＷＬＡＮ通信における無線リンク障害が発生したことを示す無線リンク障害報告を受信する受信部と、を備えることを特徴とする基地局。
【請求項７】
前記制御部は、前記無線リンク障害報告に基づいて、前記セルラ・ＷＬＡＮアグリゲーションにおける前記ＷＬＡＮ通信用のデータベアラを解放するため情報、又は、前記セルラ・ＷＬＡＮアグリゲーションにおける前記ＷＬＡＮ通信用のデータベアラを別のデータベアラに変更するための情報を前記アクセスポイント又は前記アクセスポイントを制御するノードに送信する制御を行うことを特徴とする請求項６に記載の基地局。
【請求項８】
前記無線リンク障害報告は、前記無線リンク障害が発生したと判断された理由及び前記ＷＬＡＮ通信に関する最新の測定結果少なくともいずれかの情報を含むことを特徴とする請求項６に記載の基地局。
【請求項９】
前記無線リンク障害報告を前記ユーザ端末から受信した場合、前記ＷＬＡＮ通信における無線リンク障害が発生したことを示す情報を前記アクセスポイント又は前記アクセスポイントを制御するノードに送信する送信部をさらに備えることを特徴とする請求項６に記載の基地局。
【請求項１０】
前記セルラ・ＷＬＡＮアグリゲーションにおいて前記ＷＬＡＮ通信により前記ユーザ端末に送信予定の下りデータを前記アクセスポイントに送信する送信部をさらに備え、
前記受信部は、前記無線リンク障害報告に基づいて、前記下りデータのうち未送信の下りデータを前記アクセスポイントから受信することを特徴とする請求項６に記載の基地局。
【請求項１１】
前記制御部は、前記無線リンク障害報告に基づいて、前記未送信の下りデータの送信要求を前記アクセスポイントに送信する制御を行い、
前記受信部は、前記送信要求を受信した前記アクセスポイントから、前記未送信の下りデータを受信することを特徴とする請求項６に記載の基地局。
【請求項１２】
前記制御部は、前記アクセスポイントに送信済みの前記下りデータを削除済みの場合に、前記未送信の下りデータの送信要求を前記アクセスポイント又は前記アクセスポイントを制御するノードに送信する制御を行うことを特徴とする請求項６に記載の基地局。
【請求項１３】
セルラ通信及びＷＬＡＮ通信をサポートするユーザ端末であって、
セルラ受信信号の受信電力又は受信品質に関する第１の判定条件及びＷＬＡＮに関する第２の判定条件に基づいて、前記セルラ通信から前記ＷＬＡＮ通信に切り替えるか否かの切り替え判定を行う制御部を備え、
前記制御部は、セルラネットワークから特定のＷＬＡＮ識別子が指定されており、かつ、前記特定のＷＬＡＮ識別子を含むＷＬＡＮ受信信号を検出した場合、前記第１の判定条件に基づくことなく、前記第２の判定条件に基づいて前記切り替え判定を行うことを特徴とするユーザ端末。
【請求項１４】
前記特定のＷＬＡＮ識別子は、前記セルラ通信及び前記ＷＬＡＮ通信をサポートするセルラ・ＷＬＡＮ一体型の基地局に割り当てられているＷＬＡＮ識別子であることを特徴とする請求項１３に記載のユーザ端末。
【請求項１５】
前記セルラ通信及び前記ＷＬＡＮ通信をサポートするセルラ・ＷＬＡＮ一体型の基地局に割り当てられている特定のセル識別子が前記セルラネットワークから通知されており、自ユーザ端末のＷＬＡＮ通信機能がオフである場合、前記制御部は、前記特定のセル識別子を含むセルラ受信信号を検出したことに応じて、前記ＷＬＡＮ通信機能をオンにすることを特徴とする請求項１３に記載のユーザ端末。
【請求項１６】
セルラ通信及びＷＬＡＮ通信をサポートするユーザ端末であって、
セルラ受信信号の受信電力又は受信品質を、セルラネットワークから指定された閾値と比較することにより、前記セルラ通信から前記ＷＬＡＮ通信に切り替えるか否かの切り替え判定を行う制御部を備え、
前記制御部は、ＷＬＡＮ識別子ごとに前記閾値が指定されている場合、ＷＬＡＮ受信信号に含まれるＷＬＡＮ識別子に対応する前記閾値を前記切り替え判定に使用することを特徴とするユーザ端末。
【請求項１７】
セルラ受信信号の受信電力又は受信品質を、セルラネットワークから指定された閾値と比較することにより、セルラ通信からＷＬＡＮ通信に切り替えるか否かの切り替え判定を行うユーザ端末が在圏するセルを管理する基地局であって、
前記切り替え判定に使用される前記閾値をＷＬＡＮ識別子ごとに指定する制御部を備えることを特徴とする基地局。
【請求項１８】
セルラ通信及びＷＬＡＮ通信をサポートするユーザ端末であって、
自ユーザ端末のトラフィックを前記セルラ通信と前記ＷＬＡＮ通信との間で切り替える端末主導型の切り替え制御を行う制御部を備え、
前記制御部は、セルラネットワークから特定のＷＬＡＮ識別子が指定されている場合、前記特定のＷＬＡＮ識別子について前記端末主導型の切り替え制御を無効とし、
前記特定のＷＬＡＮ識別子は、同一の又は異なるデータベアラに属するトラフィックを前記セルラ通信及び前記ＷＬＡＮ通信を併用して送受信するセルラ・ＷＬＡＮアグリゲーションをサポートするノードに割り当てられているＷＬＡＮ識別子であることを特徴とするユーザ端末。
【請求項１９】
前記特定のＷＬＡＮ識別子は、前記セルラネットワークから前記ユーザ端末に送信されるＷＬＡＮ測定指示に含まれることを特徴とする請求項１８に記載のユーザ端末。
【請求項２０】
セルラ通信及びＷＬＡＮ通信をサポートするユーザ端末であって、
自ユーザ端末のトラフィックを前記セルラ通信と前記ＷＬＡＮ通信との間で切り替える端末主導型の切り替え制御を行う制御部を備え、
前記制御部は、同一の又は異なるデータベアラに属するトラフィックを前記セルラ通信及び前記ＷＬＡＮ通信を併用して送受信するセルラ・ＷＬＡＮアグリゲーションを実行中である場合、前記端末主導型の切り替え制御を無効とすることを特徴とするユーザ端末。
【請求項２１】
セルラ通信及びＷＬＡＮ通信をサポートするユーザ端末であって、
同一の又は異なるデータベアラに属するトラフィックを前記セルラ通信及び前記ＷＬＡＮ通信を併用して送受信するセルラ・ＷＬＡＮアグリゲーションを実行する制御部を備え、
前記制御部は、前記セルラ通信のＭＡＣ層以下の第１のエンティティと、前記ＷＬＡＮ通信のＭＡＣ層以下の第２のエンティティと、前記セルラ通信のＲＬＣ層以上の第３のエンティティと、を含み、
前記セルラ・ＷＬＡＮアグリゲーションにおいて、前記第３のエンティティは、前記第２のエンティティを介さずに、前記第１のエンティティを介して制御信号を基地局と送受信することを特徴とするユーザ端末。
【請求項２２】
セルラ通信及びＷＬＡＮ通信をサポートするセルラ・ＷＬＡＮ一体型の基地局であって、
同一の又は異なるデータベアラに属するトラフィックを前記セルラ通信及び前記ＷＬＡＮ通信を併用して送受信するセルラ・ＷＬＡＮアグリゲーションを実行する制御部を備え、
前記制御部は、前記セルラ通信のＭＡＣ層以下の第１のエンティティと、前記ＷＬＡＮ通信のＭＡＣ層以下の第２のエンティティと、前記セルラ通信のＲＬＣ層以上の第３のエンティティと、を含み、
前記セルラ・ＷＬＡＮアグリゲーションにおいて、前記第３のエンティティは、前記第２のエンティティを介さずに、前記第１のエンティティを介して制御信号をユーザ端末と送受信することを特徴とする基地局。
【請求項２３】
ユーザ端末と接続可能な基地局であって、
同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、
前記ユーザ端末の未送信データ量を示すバッファ状態報告を前記ユーザ端末から受信する受信部と、を備え、
前記制御部は、前記バッファ状態報告に基づいて、前記第１の通信の上りリンクにおいて前記ユーザ端末に割り当てる無線リソースと前記第２の通信の上りリンクにおいて前記ユーザ端末に割り当てる無線リソースとの比率を決定することを特徴とする基地局。
【請求項２４】
前記通信方式は、前記トラフィックを、前記第１通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションであることを特徴とする請求項２３に記載の基地局。
【請求項２５】
前記通信方式は、前記トラフィックを、前記第１通信である第１のセルラ通信、及び、前記他ノードである他の基地局と前記ユーザ端末との間の前記第２の通信である第２のセルラ通信、を併用して送受信する二重接続方式であることを特徴とする請求項２３に記載の基地局。
【請求項２６】
セルラ通信及びＷＬＡＮ通信をサポートするセルラ・ＷＬＡＮ一体型の基地局であって、
同一の又は異なるデータベアラに属するトラフィックを前記セルラ通信及び前記ＷＬＡＮ通信を併用して送受信するセルラ・ＷＬＡＮアグリゲーションを実行する制御部と、
ユーザ端末の未送信データ量を示すバッファ状態報告を前記ユーザ端末から受信する受信部と、を備え、
前記制御部は、前記バッファ状態報告に基づいて、前記セルラ通信の上りリンクにおいて前記ユーザ端末に割り当てる無線リソースと前記ＷＬＡＮ通信の上りリンクにおいて前記ユーザ端末に割り当てる無線リソースとの比率を決定することを特徴とする基地局。
【請求項２７】
基地局と接続可能なユーザ端末であって、
同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、
前記第１の通信における未送信データを記憶する第１バッファとは別に、前記第２の通信における未送信データを記憶する第２バッファを有する記憶部と、
前記通信方式を実行中に、前記第１バッファ及び前記第２バッファに基づいて、未送信データ量を示すバッファ状態報告を前記基地局に送信する送信部と、を備えることを特徴とするユーザ端末。
【請求項２８】
前記送信部は、前記第１の通信及び前記第２の通信の上りリンクにおける送信データ量に対する前記第１の通信の上りリンクにおける送信データ量の比率に応じて補正された前記第１の通信における未送信データ量を示す前記バッファ状態報告を前記基地局に送信することを特徴とする請求項２７に記載のユーザ端末。
【請求項２９】
前記送信部は、前記第１の通信における未送信データ量及び前記第２の通信における未送信データ量を示す前記バッファ状態報告を前記基地局に送信することを特徴とする請求項２７に記載のユーザ端末。
【請求項３０】
前記通信方式は、前記トラフィックを、前記第１の通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションであることを特徴とする請求項２７に記載のユーザ端末。
【請求項３１】
前記通信方式は、前記トラフィックを、前記第１の通信である第１のセルラ通信、及び、前記他ノードである他の基地局と前記ユーザ端末との間の前記第２の通信である第２のセルラ通信、を併用して送受信する二重接続方式であることを特徴とする請求項２７に記載のユーザ端末。
【請求項３２】
ユーザ端末と接続可能な基地局であって、
同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、
前記ユーザ端末に対して、前記第１の通信による前記ユーザ端末の送信データ量と前記第２の通信による前記ユーザ端末の送信データ量との比率である上り送信比率を設定する制御情報を送信する送信部と、を備えることを特徴とする基地局。
【請求項３３】
前記制御部は、前記アクセスポイントのスループットを推定可能な情報に基づいて、前記上り送信比率を決定することを特徴とする請求項３２に記載の基地局。
【請求項３４】
前記送信部は、前記基地局から受信した前記制御情報に基づいて前記上り送信比率を設定する第１モードと、前記上り送信比率を自律的に設定する第２モードと、を切り替え可能なユーザ端末に対して、前記第１モードと前記第２モードとの切り替えに関する制御情報を送信することを特徴とする請求項３２に記載の基地局。
【請求項３５】
前記通信方式は、前記トラフィックを、前記第１通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションであることを特徴とする請求項３２に記載の基地局。
【請求項３６】
前記通信方式は、前記トラフィックを、前記第１通信である第１のセルラ通信、及び、前記他ノードである他の基地局と前記ユーザ端末との間の前記第２の通信である第２のセルラ通信、を併用して送受信する二重接続方式であることを特徴とする請求項３２に記載の基地局。
【請求項３７】
基地局と接続可能なユーザ端末であって、
同一の又は異なるデータベアラに属するトラフィックを、前記基地局と前記ユーザ端末との間の第１の通信、及び、前記基地局と直接的なインターフェイスを介して接続する他のノードとの前記ユーザ端末との間の第２の通信、を併用して送受信する通信方式を実行する制御部を備え、
前記制御部は、前記通信方式を実行中に、前記第１の通信の下りリンクにおいて受信に成功したデータユニットの数と前記第２の通信の下りリンクにおいて受信に成功したデータユニットの数とに基づいて、前記第１の通信の上りリンクにおける送信データ量と前記第２の通信の上りリンクにおける送信データ量との比率を決定することを特徴とするユーザ端末。
【請求項３８】
ユーザ端末と接続可能な基地局であって、
同一の又は異なるデータベアラに属するトラフィックを、前記基地局と前記ユーザ端末との間の第１の通信、及び、前記基地局と直接的なインターフェイスを介して接続する他のノードとの前記ユーザ端末との間の第２の通信、を併用して送受信する通信方式を実行する制御部を備え、
前記制御部は、前記ユーザ端末が前記通信方式を実行中である場合、前記第１の通信によって受信に成功した前記ユーザ端末からのデータユニットの数と前記第２の通信によって受信に成功した前記ユーザ端末からのデータユニットの数とに基づいて、前記第１の通信による前記ユーザ端末への送信データ量と前記第２の通信による前記ユーザ端末への送信データ量との比率を決定することを特徴とする基地局。
【請求項３９】
セルラ通信及びＷＬＡＮ通信をサポートするユーザ端末であって、
前記ＷＬＡＮ通信におけるＱｏＳが満たされないことを示す通知を基地局に送信する送信部と、
前記通知に応じて前記基地局から送信される設定情報に基づいて、同一の又は異なるデータベアラに属するトラフィックを前記セルラ通信及び前記ＷＬＡＮ通信を併用して送受信するセルラ・ＷＬＡＮアグリゲーションを開始する制御部と、を備えることを特徴とするユーザ端末。
【請求項４０】
セルラ通信及びＷＬＡＮ通信をサポートするユーザ端末であって、
セルラに関する第１の判定条件及びＷＬＡＮに関する第２の判定条件に基づいて、前記セルラ通信から前記ＷＬＡＮ通信に切り替えるか否かの切り替え判定を行う制御部を備え、
前記制御部は、セルラに関する第３の判定条件及びＷＬＡＮに関する第４の判定条件に基づいて、前記ＷＬＡＮ通信から前記セルラ通信に切り替えるか否かの切り替え判定を行い、
前記制御部は、前記第２の判定条件の少なくとも一部及び前記第３の判定条件の少なくとも一部が満たされた場合、同一の又は異なるデータベアラに属するトラフィックを前記セルラ通信及び前記ＷＬＡＮ通信を併用して送受信するセルラ・ＷＬＡＮアグリゲーションを有効とすることを特徴とするユーザ端末。
【請求項４１】
セルラ通信及びＷＬＡＮ通信をサポートするユーザ端末であって、
同一の又は異なるデータベアラに属するトラフィックを前記セルラ通信及び前記ＷＬＡＮ通信を併用して送受信するセルラ・ＷＬＡＮアグリゲーションが許容又は禁止される契約者クラスを示す契約者クラス情報をセルラネットワークから受信する受信部と、
前記契約者クラス情報と自ユーザ端末の契約者クラスとに基づいて、前記セルラ・ＷＬＡＮアグリゲーションが許容されるか否かを判断する制御部と、を備えることを特徴とするユーザ端末。
【請求項４２】
セルラ通信及びＷＬＡＮ通信をサポートするユーザ端末であって、
自ユーザ端末のトラフィックを前記セルラ通信と前記ＷＬＡＮ通信との間で切り替える端末主導型の切り替え制御を行う制御部を備え、
前記制御部は、セルラネットワークから特定のＷＬＡＮ識別子が指定されており、前記特定のＷＬＡＮ識別子に対応する前記ＷＬＡＮ通信に切り替えた場合、前記セルラ通信により、切り替え通知を基地局に送信し、
前記特定のＷＬＡＮ識別子は、同一の又は異なるデータベアラに属するトラフィックを前記セルラ通信及び前記ＷＬＡＮ通信を併用して送受信するセルラ・ＷＬＡＮアグリゲーションをサポートするノードに割り当てられているＷＬＡＮ識別子であることを特徴とするユーザ端末。
【発明の詳細な説明】
【技術分野】
【０００１】
本出願は、セルラ・ＷＬＡＮ無線インターワーキング技術をサポートするユーザ端末及び基地局に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）は、リリース１２以降において、セルラ・ＷＬＡＮ無線インターワーキング技術をサポートする（非特許文献１及び２参照）。【０００３】
このような技術では、ユーザ端末は、セルラ受信信号の受信電力又は受信品質に関する判定条件及びＷＬＡＮに関する判定条件に基づいて、自ユーザ端末のトラフィックをセルラ通信とＷＬＡＮ通信との間で切り替える端末主導型の切り替え制御を行う。判定条件は、セルラネットワーク（ＲＡＮ：Ｒａｄｉｏ  Ａｃｃｅｓｓ  Ｎｅｔｗｏｒｋ）から指定される閾値（ＲＡＮ  ａｓｓｉｓｔａｎｃｅ  ｐａｒａｍｅｔｅｒｓ）により定められる。【０００４】
また、セルラ・ＷＬＡＮ無線インターワーキング技術を高度化するために、同一データベアラに属するトラフィックをセルラ通信及びＷＬＡＮ通信を併用して送受信する技術（以下、「セルラ・ＷＬＡＮアグリゲーション」という）の提案がなされている（非特許文献３参照）。
【先行技術文献】
【非特許文献】
【０００５】
【非特許文献１】３ＧＰＰ寄書  「Ｒ２−１４２１３０」
【非特許文献２】３ＧＰＰ寄書  「Ｒ２−１４２９４９」
【非特許文献３】３ＧＰＰ寄書  「ＲＰ−１４０７３８」
【発明の概要】
【０００６】
そこで、本出願は、セルラ・ＷＬＡＮアグリゲーションが導入された場合に効率的な制御を実現可能なユーザ端末及び基地局を提供することを目的とする。
【０００７】
一つの実施形態に係るユーザ端末は、セルラ通信及びＷＬＡＮ通信をサポートする。前記ユーザ端末は、同一の又は異なるデータベアラに属するトラフィックを前記セルラ通信及び前記ＷＬＡＮ通信を併用して送受信するセルラ・ＷＬＡＮアグリゲーションを実行中に、前記ＷＬＡＮ通信における無線リンク障害が発生したと判断する制御部を備える。
【図面の簡単な説明】
【０００８】
【図１】第１実施形態乃至第１１実施形態に係るシステム構成を示す図である。
【図２】第１実施形態乃至第１１実施形態に係るＵＥのブロック図である。
【図３】第１実施形態乃至第１１実施形態に係るｅＮＢのブロック図である。
【図４】第１実施形態乃至第１１実施形態に係るＡＰのブロック図である。
【図５】ＬＴＥ無線インターフェイスのプロトコルスタック図である。
【図６】第１実施形態乃至第１１実施形態に係るＵＥ主導型の切り替え制御の基本動作を示す図である。
【図７】第１実施形態乃至第１１実施形態に係るセルラ・ＷＬＡＮアグリゲーションの基本動作を示す図である。
【図８】第１実施形態乃至第１１実施形態に係る動作環境を示す図である。
【図９】特定のＷＬＡＮ識別子の指定方法の第１の例を示す図である。
【図１０】第１実施形態に係るＵＥの動作を示す図である。
【図１１】特定のＷＬＡＮ識別子の指定方法の第２の例を示す図である。
【図１２】第１実施形態の変更例１を示す図である。
【図１３】第２実施形態に係るＵＥの動作を示す図である。
【図１４】第３実施形態に係るＵＥの動作を示す図である。
【図１５】第４実施形態に係るＵＥの動作を示す図である。
【図１６】第５実施形態に係る動作を示す図である。
【図１７】第６実施形態に係るｅＮＢの動作を示す図である。
【図１８】第６実施形態の変更例１に係るＵＥ１００が有するバッファを説明するための図（その１）である。
【図１９】第６実施形態の変更例１に係るＵＥ１００が有するバッファを説明するための図（その２）である。
【図２０】第６実施形態の変更例１に係るＵＥ１００が有するバッファを説明するための図（その３）である。
【図２１】第７実施形態に係る動作を示す図である。
【図２２】第８実施形態に係るＵＥの動作を示す図である。
【図２３】第９実施形態に係るＵＥの動作を示す図である。
【図２４】第１０実施形態に係るＵＥの動作を示す図である。
【図２５】セルラ・ＷＬＡＮアグリゲーションの他の例を示す図である。
【発明を実施するための形態】
【０００９】
［実施形態の概要］
第９実施形態に係るユーザ端末は、セルラ通信及びＷＬＡＮ通信をサポートする。前記ユーザ端末は、同一の又は異なるデータベアラに属するトラフィックを前記セルラ通信及び前記ＷＬＡＮ通信を併用して送受信するセルラ・ＷＬＡＮアグリゲーションを実行中に、前記ＷＬＡＮ通信における無線リンク障害が発生したと判断する制御部を備える。
【００１０】
第９実施形態では、前記制御部は、所定の判定条件に基づいて、前記ＷＬＡＮ通信から前記セルラ通信に切り替えるか否かの切り替え判定を行う。前記制御部は、前記所定の判定条件が満たされた場合、前記ＷＬＡＮ通信における無線リンク障害が発生したと判断する。
【００１１】
第９実施形態では、前記制御部は、前記ＷＬＡＮ通信における無線リンク障害が発生したと判断した場合、当該無線リンク障害に関する無線リンク障害報告を前記セルラ通信により基地局に送信する。
【００１２】
第９実施形態では、前記制御部が前記ＷＬＡＮ通信における無線リンク障害が発生したと判断した場合、当該無線リンク障害に関する無線リンク障害報告を前記セルラ通信により基地局に送信する送信部をさらに備える。
【００１３】
第９実施形態では、前記送信部は、前記ＷＬＡＮ通信における周波数帯の干渉状況、前記ＷＬＡＮ通信における送受信の失敗、前記ＷＬＡＮ通信を行っているアクセスポイントからの無線信号の受信強度、及び、前記アクセスポイントとの接続の断絶、の少なくともいずれか一つを理由として含む前記無線リンク障害報告を送信する。
【００１４】
第９実施形態に係る基地局は、セルラ通信及びＷＬＡＮ通信をサポートするセルラ・ＷＬＡＮ一体型である、又は、前記ＷＬＡＮ通信をサポートするアクセスポイントと接続し前記セルラ通信をサポートする基地局である。前記基地局は、同一の又は異なるデータベアラに属するデータを前記セルラ通信及び前記ＷＬＡＮ通信を併用して送受信するセルラ・ＷＬＡＮアグリゲーションを制御する制御部と、前記セルラ・ＷＬＡＮアグリゲーションを制御中に、前記セルラ・ＷＬＡＮアグリゲーションを実行するユーザ端末又は前記アクセスポイントから、前記ＷＬＡＮ通信における無線リンク障害が発生したことを示す無線リンク障害報告を受信する受信部と、を備える。
【００１５】
第９実施形態では、前記制御部は、前記無線リンク障害報告に基づいて、前記セルラ・ＷＬＡＮアグリゲーションにおける前記ＷＬＡＮ通信用のデータベアラを解放するため情報、又は、前記セルラ・ＷＬＡＮアグリゲーションにおける前記ＷＬＡＮ通信用のデータベアラを別のデータベアラに変更するための情報を前記アクセスポイント又は前記アクセスポイントを制御するノードに送信する制御を行う。
【００１６】
第９実施形態では、前記無線リンク障害報告は、前記無線リンク障害が発生したと判断された理由及び前記ＷＬＡＮ通信に関する最新の測定結果少なくともいずれかの情報を含む。
【００１７】
第９実施形態に係る基地局は、前記無線リンク障害報告を前記ユーザ端末から受信した場合、前記ＷＬＡＮ通信における無線リンク障害が発生したことを示す情報を前記アクセスポイントに送信する送信部をさらに備える。
【００１８】
第９実施形態に係る基地局は、前記セルラ・ＷＬＡＮアグリゲーションにおいて前記ＷＬＡＮ通信により前記ユーザ端末に送信予定の下りデータを前記アクセスポイント又は前記アクセスポイントを制御するノードに送信する送信部をさらに備える。前記受信部は、前記無線リンク障害報告に基づいて、前記下りデータのうち未送信の下りデータを前記アクセスポイントから受信する。
【００１９】
第９実施形態では、前記制御部は、前記無線リンク障害報告に基づいて、前記未送信の下りデータの送信要求を前記アクセスポイントに送信する制御を行う。前記受信部は、前記送信要求を受信した前記アクセスポイントから、前記未送信の下りデータを受信する。
【００２０】
第９実施形態では、前記制御部は、前記アクセスポイントに送信済みの前記下りデータを削除済みの場合に、前記未送信の下りデータの送信要求を前記アクセスポイント又は前記アクセスポイントを制御するノードに送信する制御を行う。
【００２１】
第１実施形態に係るユーザ端末は、セルラ通信及びＷＬＡＮ通信をサポートする。前記ユーザ端末は、セルラ受信信号の受信電力又は受信品質に関する第１の判定条件及びＷＬＡＮに関する第２の判定条件に基づいて、前記セルラ通信から前記ＷＬＡＮ通信に切り替えるか否かの切り替え判定を行う制御部を備える。前記制御部は、セルラネットワークから特定のＷＬＡＮ識別子が指定されており、かつ、前記特定のＷＬＡＮ識別子を含むＷＬＡＮ受信信号を検出した場合、前記第１の判定条件に基づくことなく、前記第２の判定条件に基づいて前記切り替え判定を行う。
【００２２】
第１実施形態では、前記特定のＷＬＡＮ識別子は、前記セルラ通信及び前記ＷＬＡＮ通信をサポートするセルラ・ＷＬＡＮ一体型の基地局に割り当てられているＷＬＡＮ識別子である。
【００２３】
第１実施形態では、前記セルラ通信及び前記ＷＬＡＮ通信をサポートするセルラ・ＷＬＡＮ一体型の基地局に割り当てられている特定のセル識別子が前記セルラネットワークから通知されており、自ユーザ端末のＷＬＡＮ通信機能がオフである場合、前記制御部は、前記特定のセル識別子を含むセルラ受信信号を検出したことに応じて、前記ＷＬＡＮ通信機能をオンにする。
【００２４】
第２実施形態に係るユーザ端末は、セルラ通信及びＷＬＡＮ通信をサポートする。前記ユーザ端末は、セルラ受信信号の受信電力又は受信品質を、セルラネットワークから指定された閾値と比較することにより、前記セルラ通信から前記ＷＬＡＮ通信に切り替えるか否かの切り替え判定を行う制御部を備える。前記制御部は、ＷＬＡＮ識別子ごとに前記閾値が指定されている場合、ＷＬＡＮ受信信号に含まれるＷＬＡＮ識別子に対応する前記閾値を前記切り替え判定に使用する。
【００２５】
第２実施形態に係る基地局は、セルラ受信信号の受信電力又は受信品質を、セルラネットワークから指定された閾値と比較することにより、セルラ通信からＷＬＡＮ通信に切り替えるか否かの切り替え判定を行うユーザ端末が在圏するセルを管理する。前記基地局は、前記切り替え判定に使用される前記閾値をＷＬＡＮ識別子ごとに指定する制御部を備える。
【００２６】
第３実施形態に係るユーザ端末は、セルラ通信及びＷＬＡＮ通信をサポートする。前記ユーザ端末は、自ユーザ端末のトラフィックを前記セルラ通信と前記ＷＬＡＮ通信との間で切り替える端末主導型の切り替え制御を行う制御部を備える。前記制御部は、セルラネットワークから特定のＷＬＡＮ識別子が指定されている場合、前記特定のＷＬＡＮ識別子について前記端末主導型の切り替え制御を無効とする。前記特定のＷＬＡＮ識別子は、同一の又は異なるデータベアラに属するトラフィックを前記セルラ通信及び前記ＷＬＡＮ通信を併用して送受信するセルラ・ＷＬＡＮアグリゲーションをサポートするノードに割り当てられているＷＬＡＮ識別子である。
【００２７】
第３実施形態では、前記特定のＷＬＡＮ識別子は、前記セルラネットワークから前記ユーザ端末に送信されるＷＬＡＮ測定指示に含まれる。
【００２８】
第４実施形態に係るユーザ端末は、セルラ通信及びＷＬＡＮ通信をサポートする。前記ユーザ端末は、自ユーザ端末のトラフィックを前記セルラ通信と前記ＷＬＡＮ通信との間で切り替える端末主導型の切り替え制御を行う制御部を備える。前記制御部は、同一の又は異なるデータベアラに属するトラフィックを前記セルラ通信及び前記ＷＬＡＮ通信を併用して送受信するセルラ・ＷＬＡＮアグリゲーションを実行中である場合、前記端末主導型の切り替え制御を無効とする。
【００２９】
第５実施形態に係るユーザ端末は、セルラ通信及びＷＬＡＮ通信をサポートする。前記ユーザ端末は、同一の又は異なるデータベアラに属するトラフィックを前記セルラ通信及び前記ＷＬＡＮ通信を併用して送受信するセルラ・ＷＬＡＮアグリゲーションを実行する制御部を備える。前記制御部は、前記セルラ通信のＭＡＣ層以下の第１のエンティティと、前記ＷＬＡＮ通信のＭＡＣ層以下の第２のエンティティと、前記セルラ通信のＲＬＣ層以上の第３のエンティティと、を含む。前記セルラ・ＷＬＡＮアグリゲーションにおいて、前記第３のエンティティは、前記第２のエンティティを介さずに、前記第１のエンティティを介して制御信号を基地局と送受信する。
【００３０】
第５実施形態に係る基地局は、セルラ通信及びＷＬＡＮ通信をサポートするセルラ・ＷＬＡＮ一体型の基地局である。前記基地局は、同一の又は異なるデータベアラに属するトラフィックを前記セルラ通信及び前記ＷＬＡＮ通信を併用して送受信するセルラ・ＷＬＡＮアグリゲーションを実行する制御部を備える。前記制御部は、前記セルラ通信のＭＡＣ層以下の第１のエンティティと、前記ＷＬＡＮ通信のＭＡＣ層以下の第２のエンティティと、前記セルラ通信のＲＬＣ層以上の第３のエンティティと、を含む。前記セルラ・ＷＬＡＮアグリゲーションにおいて、前記第３のエンティティは、前記第２のエンティティを介さずに、前記第１のエンティティを介して制御信号をユーザ端末と送受信する。
【００３１】
第６実施形態及びその他実施形態に係る基地局は、ユーザ端末と接続可能な基地局である。前記基地局は、同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、前記ユーザ端末の未送信データ量を示すバッファ状態報告を前記ユーザ端末から受信する受信部と、を備える。前記制御部は、前記バッファ状態報告に基づいて、前記第１の通信の上りリンクにおいて前記ユーザ端末に割り当てる無線リソースと前記第２の通信の上りリンクにおいて前記ユーザ端末に割り当てる無線リソースとの比率を決定する。
【００３２】
第６実施形態では、前記通信方式は、前記トラフィックを、前記第１通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションである。
【００３３】
その他実施形態では、前記通信方式は、前記トラフィックを、前記第１通信である第１のセルラ通信、及び、前記他ノードである他の基地局と前記ユーザ端末との間の前記第２の通信である第２のセルラ通信、を併用して送受信する二重接続方式である。
【００３４】
第６実施形態に係る基地局は、セルラ通信及びＷＬＡＮ通信をサポートするセルラ・ＷＬＡＮ一体型の基地局である。前記基地局は、同一の又は異なるデータベアラに属するトラフィックを前記セルラ通信及び前記ＷＬＡＮ通信を併用して送受信するセルラ・ＷＬＡＮアグリゲーションを実行する制御部と、ユーザ端末の未送信データ量を示すバッファ状態報告を前記ユーザ端末から受信する受信部と、を備える。前記制御部は、前記バッファ状態報告に基づいて、前記セルラ通信の上りリンクにおいて前記ユーザ端末に割り当てる無線リソースと前記ＷＬＡＮ通信の上りリンクにおいて前記ユーザ端末に割り当てる無線リソースとの比率を決定する。
【００３５】
第６実施形態及びその他実施形態に係るユーザ端末は、基地局と接続可能なユーザ端末である。前記ユーザ端末は、同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、前記第１の通信における未送信データを記憶する第１バッファとは別に、前記第２の通信における未送信データを記憶する第２バッファを有する記憶部と、前記通信方式を実行中に、前記第１バッファ及び前記第２バッファに基づいて、未送信データ量を示すバッファ状態報告を前記基地局に送信する送信部と、を備える。
【００３６】
第６実施形態及びその他実施形態では、前記送信部は、前記第１の通信及び前記第２の通信の上りリンクにおける送信データ量に対する前記第１の通信の上りリンクにおける送信データ量の比率に応じて補正された前記第１の通信における未送信データ量を示す前記バッファ状態報告を前記基地局に送信する。
【００３７】
第６実施形態及びその他実施形態では、前記送信部は、前記第１の通信における未送信データ量及び前記第２の通信における未送信データ量を示す前記バッファ状態報告を前記基地局に送信する。
【００３８】
第６実施形態では、前記通信方式は、前記トラフィックを、前記第１の通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションである。
【００３９】
その他実施形態では、前記通信方式は、前記トラフィックを、前記第１の通信である第１のセルラ通信、及び、前記他ノードである他の基地局と前記ユーザ端末との間の前記第２の通信である第２のセルラ通信、を併用して送受信する二重接続方式である。
【００４０】
第６実施形態及びその他実施形態に係る基地局は、ユーザ端末と接続可能な基地局である。前記基地局は、同一の又は異なるデータベアラに属するトラフィックを、前記基地局と前記ユーザ端末との間の第１の通信、及び、前記基地局と直接的なインターフェイスを介して接続する他のノードと前記ユーザ端末との間の第２の通信、を併用して送受信する通信方式を実行する制御部と、前記ユーザ端末に対して、前記第１の通信による前記ユーザ端末の送信データ量と前記第２の通信による前記ユーザ端末の送信データ量との比率である上り送信比率を設定する制御情報を送信する送信部と、を備える。
【００４１】
第６実施形態及びその他実施形態では、前記制御部は、前記アクセスポイントのスループットを推定可能な情報に基づいて、前記上り送信比率を決定する。
【００４２】
第６実施形態及びその他実施形態では、前記送信部は、前記基地局から受信した前記制御情報に基づいて前記上り送信比率を設定する第１モードと、前記上り送信比率を自律的に設定する第２モードと、を切り替え可能なユーザ端末に対して、前記第１モードと前記第２モードとの切り替えに関する制御情報を送信する。
【００４３】
第６実施形態では、前記通信方式は、前記トラフィックを、前記第１通信であるセルラ通信、及び、前記他ノードであるアクセスポイントと前記ユーザ端末との間の前記第２の通信であるＷＬＡＮ通信、を併用して送受信するセルラ・ＷＬＡＮアグリゲーションである。
【００４４】
その他実施形態では、前記通信方式は、前記トラフィックを、前記第１通信である第１のセルラ通信、及び、前記他ノードである他の基地局と前記ユーザ端末との間の前記第２の通信である第２のセルラ通信、を併用して送受信する二重接続方式である。
【００４５】
第６実施形態及びその他実施形態に係るユーザ端末は、基地局と接続可能なユーザ端末である。前記ユーザ端末は、同一の又は異なるデータベアラに属するトラフィックを、前記基地局と前記ユーザ端末との間の第１の通信、及び、前記基地局と直接的なインターフェイスを介して接続する他のノードとの前記ユーザ端末との間の第２の通信、を併用して送受信する通信方式を実行する制御部を備える。前記制御部は、前記通信方式を実行中に、前記第１の通信の下りリンクにおいて受信に成功したデータユニットの数と前記第２の通信の下りリンクにおいて受信に成功したデータユニットの数とに基づいて、前記第１の通信の上りリンクにおける送信データ量と前記第２の通信の上りリンクにおける送信データ量との比率を決定する。
【００４６】
第６実施形態及びその他実施形態に係る基地局は、ユーザ端末と接続可能な基地局である。前記基地局は、同一の又は異なるデータベアラに属するトラフィックを、前記基地局と前記ユーザ端末との間の第１の通信、及び、前記基地局と直接的なインターフェイスを介して接続する他のノードとの前記ユーザ端末との間の第２の通信、を併用して送受信する通信方式を実行する制御部を備える。前記制御部は、前記ユーザ端末が前記通信方式を実行中である場合、前記第１の通信によって受信に成功した前記ユーザ端末からのデータユニットの数と前記第２の通信によって受信に成功した前記ユーザ端末からのデータユニットの数とに基づいて、前記第１の通信による前記ユーザ端末への送信データ量と前記第２の通信による前記ユーザ端末への送信データ量との比率を決定する。
【００４７】
第７実施形態に係るユーザ端末は、セルラ通信及びＷＬＡＮ通信をサポートするユーザ端末である。前記ユーザ端末は、前記ＷＬＡＮ通信におけるＱｏＳが満たされないことを示す通知を基地局に送信する送信部と、前記通知に応じて前記基地局から送信される設定情報に基づいて、同一の又は異なるデータベアラに属するトラフィックを前記セルラ通信及び前記ＷＬＡＮ通信を併用して送受信するセルラ・ＷＬＡＮアグリゲーションを開始する制御部と、を備える。
【００４８】
第８実施形態に係るユーザ端末は、セルラ通信及びＷＬＡＮ通信をサポートする。前記ユーザ端末は、セルラに関する第１の判定条件及びＷＬＡＮに関する第２の判定条件に基づいて、前記セルラ通信から前記ＷＬＡＮ通信に切り替えるか否かの切り替え判定を行う制御部を備える。前記制御部は、セルラに関する第３の判定条件及びＷＬＡＮに関する第４の判定条件に基づいて、前記ＷＬＡＮ通信から前記セルラ通信に切り替えるか否かの切り替え判定を行う。前記制御部は、前記第２の判定条件の少なくとも一部及び前記第３の判定条件の少なくとも一部が満たされた場合、同一の又は異なるデータベアラに属するトラフィックを前記セルラ通信及び前記ＷＬＡＮ通信を併用して送受信するセルラ・ＷＬＡＮアグリゲーションを有効とする。
【００４９】
第１０実施形態に係るユーザ端末は、セルラ通信及びＷＬＡＮ通信をサポートする。前記ユーザ端末は、同一の又は異なるデータベアラに属するトラフィックを前記セルラ通信及び前記ＷＬＡＮ通信を併用して送受信するセルラ・ＷＬＡＮアグリゲーションが許容又は禁止される契約者クラスを示す契約者クラス情報をセルラネットワークから受信する受信部と、前記契約者クラス情報と自ユーザ端末の契約者クラスとに基づいて、前記セルラ・ＷＬＡＮアグリゲーションが許容されるか否かを判断する制御部と、を備える。
【００５０】
第１１実施形態に係るユーザ端末は、セルラ通信及びＷＬＡＮ通信をサポートする。前記ユーザ端末は、自ユーザ端末のトラフィックを前記セルラ通信と前記ＷＬＡＮ通信との間で切り替える端末主導型の切り替え制御を行う制御部を備える。前記制御部は、セルラネットワークから特定のＷＬＡＮ識別子が指定されており、前記特定のＷＬＡＮ識別子に対応する前記ＷＬＡＮ通信に切り替えた場合、前記セルラ通信により、切り替え通知を基地局に送信する。前記特定のＷＬＡＮ識別子は、同一の又は異なるデータベアラに属するトラフィックを前記セルラ通信及び前記ＷＬＡＮ通信を併用して送受信するセルラ・ＷＬＡＮアグリゲーションをサポートするノードに割り当てられているＷＬＡＮ識別子である。
【００５１】
［第１実施形態］
以下、図面を参照して、３ＧＰＰ規格に準拠して構成されるセルラ通信システムであるＬＴＥシステムを無線ＬＡＮ（ＷＬＡＮ）システムと連携させる場合の実施形態を説明する。
【００５２】
（システム構成）
図１は、第１実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００５３】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００５４】
ＵＥ１００は、移動型の無線通信装置である。ＵＥ１００はユーザ端末に相当する。ＵＥ１００は、セルラ通信及びＷＬＡＮ通信の両通信方式をサポートする端末（デュアル端末）である。
【００５５】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００５６】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００５７】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００５８】
ＷＬＡＮ３０は、ＷＬＡＮアクセスポイント（以下「ＡＰ」という）３００を含む。ＡＰ３００は、例えばＬＴＥシステムのネットワーク・オペレータにより管理されるＡＰ（Ｏｐｅｒａｔｏｒ  ｃｏｎｔｒｏｌｌｅｄ  ＡＰ）である。
【００５９】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００６０】
ｅＮＢ２００及びＡＰ３００が個別のノードである場合に限らず、ｅＮＢ２００及びＡＰ３００が同一のノードとして一体化（Ｃｏｌｌｏｃａｔｅｄ）されていてもよい。セルラ通信及びＷＬＡＮ通信をサポートするセルラ・ＷＬＡＮ一体型のｅＮＢ２００（以下、「セルラ・ＷＬＡＮ一体型ｅＮＢ２００」という）の構成については後述する。
【００６１】
或いは、ｅＮＢ２００及びＡＰ３００が直接的なインターフェイスを介して相互接続されていてもよい。
【００６２】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【００６３】
次に、ＵＥ１００、ｅＮＢ２００及びＡＰ３００の構成を説明する。
【００６４】
図２は、ＵＥ１００のブロック図である。図２に示すように、ＵＥ１００は、アンテナ１０１及び１０２と、セルラ送受信機１１１と、ＷＬＡＮ送受信機１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を含む。メモリ１５０及びプロセッサ１６０は、制御部を構成する。ＵＥ１００は、ユーザインターフェイス１２０及びＧＮＳＳ受信機１３０を有していなくてもよい。また、メモリ１５０をプロセッサ１６０と一体化し、このセット（すなわち、チップセット）をプロセッサ１６０’としてもよい。
【００６５】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００６６】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００６７】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００６８】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００６９】
図３は、ｅＮＢ２００のブロック図である。図３に示すように、ｅＮＢ２００は、アンテナ２０１と、セルラ送受信機２１１と、ネットワークインターフェイス２２０と、メモリ２３０と、プロセッサ２４０と、を含む。メモリ２３０及びプロセッサ２４０は、制御部を構成する。また、メモリ２３０をプロセッサ２４０と一体化し、このセット（すなわち、チップセット）をプロセッサとしてもよい。
【００７０】
アンテナ２０１及びセルラ送受信機２１１は、セルラ無線信号の送受信に用いられる。セルラ送受信機２１１は、プロセッサ２４０が出力するベースバンド信号をセルラ無線信号に変換してアンテナ２０１から送信する。また、セルラ送受信機２１１は、アンテナ２０１が受信するセルラ無線信号をベースバンド信号に変換してプロセッサ２４０に出力する。
【００７１】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。ネットワークインターフェイス２２０は、直接的なインターフェイスを介してＡＰ３００と接続されていてもよい。
【００７２】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００７３】
ｅＮＢ２００がセルラ・ＷＬＡＮ一体型である場合、ｅＮＢ２００は、アンテナ２０２と、ＷＬＡＮ送受信機２１２と、をさらに含む。アンテナ２０２及びＷＬＡＮ送受信機２１２は、ＷＬＡＮ無線信号の送受信に用いられる。ＷＬＡＮ送受信機２１２は、プロセッサ２４０が出力するベースバンド信号をＷＬＡＮ無線信号に変換してアンテナ２０２から送信する。また、ＷＬＡＮ送受信機２１２は、アンテナ２０２が受信するＷＬＡＮ無線信号をベースバンド信号に変換してプロセッサ２４０に出力する。
【００７４】
図４は、ＡＰ３００のブロック図である。図４に示すように、ＡＰ３００は、アンテナ３０１と、ＷＬＡＮ送受信機（ＷＬＡＮ通信部）３１１と、ネットワークインターフェイス３２０と、メモリ３３０と、プロセッサ３４０と、を有する。メモリ３３０をプロセッサ３４０と一体化し、このセット（すなわち、チップセット）をプロセッサとしてもよい。
【００７５】
アンテナ３０１及びＷＬＡＮ送受信機３１１は、ＷＬＡＮ無線信号の送受信に用いられる。ＷＬＡＮ送受信機３１１は、プロセッサ３４０が出力するベースバンド信号をＷＬＡＮ無線信号に変換してアンテナ３０１から送信する。また、ＷＬＡＮ送受信機３１１は、アンテナ３０１が受信するＷＬＡＮ無線信号をベースバンド信号に変換してプロセッサ３４０に出力する。
【００７６】
ネットワークインターフェイス３２０は、直接的なインターフェイスを介してｅＮＢ２００と接続される。
【００７７】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号等を行うベースバンドプロセッサと、メモリ３３０に記憶されるプログラムを実行して各種の処理を行うＣＰＵと、を有する。プロセッサ３４０は、後述する各種の処理を実行する。
【００７８】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００７９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００８０】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００８１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００８２】
ＰＤＣＰ層は、ヘッダ圧縮・伸張、及び暗号化・復号化を行う。
【００８３】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００８４】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ３００は、ＮＡＳメッセージをＵＥ１００と送受信する。
【００８５】
また、ＬＴＥシステムでは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００８６】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００８７】
（端末主導型の切り替え制御の基本動作）
３ＧＰＰのリリース１２以降において、セルラ・ＷＬＡＮ無線インターワーキング技術がサポートされている（非特許文献１及び２参照）。このような技術では、ＲＲＣコネクティッド状態又はＲＲＣアイドル状態のＵＥ１００は、Ｅ−ＵＴＲＡＮ１０とＷＬＡＮ３０との間で双方向のトラフィック切り替え（トラフィック・ステアリング）を行う。
【００８８】
当該トラフィック切り替えは、Ｅ−ＵＴＲＡＮ１０の補助により、ＵＥ１００主導（ＵＥ  ｂａｓｅｄ）で行われる。また、当該トラフィック切り替えは、ＡＰＮ（Ａｃｃｅｓｓ  Ｐｏｉｎｔ  Ｎａｍｅ）単位で行われる。以下において、このような切り替え制御を「ＵＥ主導型の切り替え制御」と称する。
【００８９】
図６は、ＵＥ主導型の切り替え制御の基本動作を示す図である。
【００９０】
図６に示すように、ステップＳ１１において、Ｅ−ＵＴＲＡＮ１０は、ブロードキャストＲＲＣシグナリング又は個別（ｄｅｄｉｃａｔｅｄ）ＲＲＣシグナリングにより、補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）である。個別ＲＲＣシグナリングは、例えばＲＲＣ  Ｃｏｎｎｅｃｔｉｏｎ  Ｒｅｃｏｎｆｉｇｕｒａｔｉｏｎメッセージである。
【００９１】
補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ＵＥ主導型の切り替え制御の対象となるＷＬＡＮ識別子を含んでもよい。ＷＬＡＮ識別子は、ＳＳＩＤ、ＢＳＳＩＤ、ＨＥＳＳＩＤ等である。補助情報は、閾値（判定条件）が満たされるべき期間を指定するパラメータを含んでもよい。
【００９２】
ＵＥ主導型の切り替え制御をサポートするＵＥ１００は、補助情報を受信し、受信した補助情報を記憶する。ＵＥ１００は、セル再選択又はハンドオーバを行う際に、記憶している補助情報を破棄してもよい。
【００９３】
ステップＳ１２において、ＵＥ１００は、ＵＥ主導型の切り替え制御を行う。
【００９４】
先ず、セルラ通信からＷＬＡＮ通信への切り替え、すなわち、Ｅ−ＵＴＲＡＮ１０からＷＬＡＮ３０への切り替えの一例について説明する。ＵＥ１００は、セルラに関する第１の判定条件及びＷＬＡＮに関する第２の判定条件に基づいて、セルラ通信からＷＬＡＮ通信に切り替えるか否かの切り替え判定を行う。具体的には、第１の判定条件及び第２の判定条件の両方が満たされた場合、ＵＥ１００は、セルラ通信からＷＬＡＮ通信への切り替えを行う。
【００９５】
第１の判定条件は、Ｅ−ＵＴＲＡＮサービングセルに対する以下の条件である。
【００９６】
RSRPmeas  <  ThreshServingOffloadWLAN,  LowP;  or
RSRQmeas  <  ThreshServingOffloadWLAN,  LowQ;  
【００９７】
ここで、「ＲＳＲＰｍｅａｓ」はＵＥ１００で測定するセルラ受信信号の受信電力、すなわち参照信号受信電力（ＲＳＲＰ）である。「ＲＳＲＱｍｅａｓ」はＵＥ１００で測定するセルラ受信信号の受信品質、すなわち参照信号受信品質（ＲＳＲＱ）である。「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」は、補助情報に含まれており、ＷＬＡＮ３０に切り替えるための閾値である。
【００９８】
第２の判定条件は、ターゲットＷＬＡＮに対する以下の条件である。
【００９９】
ChannelUtilizationWLAN  <  ThreshChUtilWLAN,  Low;  and
BackhaulRateDlWLAN  >  ThreshBackhRateDLWLAN,  High;  and
BackhaulRateUlWLAN  >  ThreshBackhRateULWLAN,  High;  and  
BeaconRSSI  >  ThreshBeaconRSSIWLAN,  High;  
【０１００】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Access  Network  Query  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩは、ＵＥ１００で測定するビーコン信号の受信信号強度を示す。「ThreshChUtilWLAN,  Low」、「ThreshBackhRateDLWLAN,  High」、「ThreshBackhRateULWLAN,  High」、「ThreshBeaconRSSIWLAN,  High」は、補助情報に含まれており、ＷＬＡＮ３０に切り替えるための閾値である。
【０１０１】
次に、ＷＬＡＮ通信からセルラ通信への切り替え、すなわち、ＷＬＡＮ３０からＥ−ＵＴＲＡＮ１０への切り替えの一例について説明する。ＵＥ１００は、セルラに関する第３の判定条件及びＷＬＡＮに関する第４の判定条件に基づいて、ＷＬＡＮ通信からセルラ通信に切り替えるか否かの切り替え判定を行う。具体的には、第３の判定条件又は第４の判定条件の一方が満たされた場合、ＵＥ１００は、ＷＬＡＮ通信からセルラ通信への切り替えを行う。
【０１０２】
第３の判定条件は、Ｅ−ＵＴＲＡＮターゲットセルに対する以下の条件である。
【０１０３】
RSRPmeas  >  ThreshServingOffloadWLAN,  HighP;  and
RSRQmeas  >  ThreshServingOffloadWLAN,  HighQ;
【０１０４】
ここで、「ＴｈｒｅｓｈＳｅｒｖｉｎｇＯｆｆｌｏａｄＷＬＡＮ，  ＨｉｇｈＰ」及び「ＴｈｒｅｓｈＳｅｒｖｉｎｇＯｆｆｌｏａｄＷＬＡＮ，  ＨｉｇｈＱ」は、補助情報に含まれており、Ｅ−ＵＴＲＡＮ１０に切り替えるための閾値である。
【０１０５】
第４の判定条件は、ソースＷＬＡＮに対する以下の条件である。
【０１０６】
ChannelUtilizationWLAN  >  ThreshChUtilWLAN,  High;  or
BackhaulRateDlWLAN  <  ThreshBackhRateDLWLAN,  Low;  or
BackhaulRateUlWLAN  <  ThreshBackhRateULWLAN,  Low;  or
BeaconRSSI  <  ThreshBeaconRSSIWLAN,  Low;
【０１０７】
ここで、「ThreshChUtilWLAN,  High」、「ThreshBackhRateDLWLAN,  Low」、「ThreshBackhRateULWLAN,  Low」、「ThreshBeaconRSSIWLAN,  Low」は、補助情報に含まれており、Ｅ−ＵＴＲＡＮ１０に切り替えるための閾値である。
【０１０８】
（セルラ・ＷＬＡＮアグリゲーションの基本動作）
セルラ・ＷＬＡＮ無線インターワーキング技術を高度化するために、同一データベアラに属するトラフィックをセルラ通信及びＷＬＡＮ通信を併用して送受信する技術（セルラ・ＷＬＡＮアグリゲーション）の提案がなされている（非特許文献３参照）。これにより、動的なセルラ・ＷＬＡＮ無線インターワーキングを可能とし、スループットの増大を図ることができる。このような技術では、セルラ・ＷＬＡＮ一体型（Ｃｏｌｌｏｃａｔｅｄ）のｅＮＢ２００の使用が想定される。
【０１０９】
図７は、セルラ・ＷＬＡＮアグリゲーションの基本動作を示す図である。図７において、送信側（Ｔｘ）は、ＵＥ１００及びセルラ・ＷＬＡＮ一体型ｅＮＢ２００のうち一方である。受信側（Ｒｘ）は、ＵＥ１００及びセルラ・ＷＬＡＮ一体型ｅＮＢ２００のうち他方である。
【０１１０】
セルラ・ＷＬＡＮアグリゲーションにおいて、ＵＥ１００は、セルラ通信のＭＡＣ層以下の第１のエンティティ４１０と、ＷＬＡＮ通信のＭＡＣ層以下の第２のエンティティ４２０と、セルラ通信のＲＬＣ層以上の第３のエンティティ４３０と、を含む。第３のエンティティ４３０は、ＲＬＣ層及びＰＤＣＰ層だけでなく、ＲＲＣ層を含んでもよい。第２のエンティティ４２０と第３のエンティティ４３０との間には、ＷＬＡＮ  ＭＡＣ層とＬＴＥ  ＲＬＣ層との間でプロトコル変換を行う第４のエンティティ（ＷＬＡＮ  ＲＬＣ  ａｄａｐｔａｔｉｏｎ）４４０が設けられてもよい。
【０１１１】
同様に、セルラ・ＷＬＡＮアグリゲーションにおいて、セルラ・ＷＬＡＮ一体型ｅＮＢ２００は、セルラ通信のＭＡＣ層以下の第１のエンティティ４１０と、ＷＬＡＮ通信のＭＡＣ層以下の第２のエンティティ４２０と、セルラ通信のＲＬＣ層以上の第３のエンティティ４３０と、を含む。第３のエンティティ４３０は、ＲＬＣ層及びＰＤＣＰ層だけでなく、ＲＲＣ層を含んでもよい。第２のエンティティ４２０と第３のエンティティ４３０との間には、ＷＬＡＮ  ＭＡＣ層とＬＴＥ  ＲＬＣ層との間でプロトコル変換を行う第４のエンティティ（ＷＬＡＮ  ＲＬＣ  ａｄａｐｔａｔｉｏｎ）４４０が設けられてもよい。
【０１１２】
次に、セルラ・ＷＬＡＮ一体型ｅＮＢ２００を送信側、ＵＥ１００を受信側と仮定して、セルラ・ＷＬＡＮアグリゲーションの基本動作を説明する。但し、このような下りリンク動作に限らず、逆方向の動作（上りリンク動作）が行われてもよい。
【０１１３】
図７に示すように、送信側であるセルラ・ＷＬＡＮ一体型ｅＮＢ２００において、第３のエンティティ４３０Ｔは、データベアラ（ＤＲＢ：Ｄａｔａ  Ｒａｄｉｏ  Ｂｅａｒｅｒ）１に属するトラフィック（ユーザデータ）Ｄ１を処理する。そして、トラフィックＤ１の一部を第１のエンティティ４１０Ｔに提供し、トラフィックＤ１の残りを第２のエンティティ４２０Ｔに提供する。第１のエンティティ４１０Ｔは、第３のエンティティ４３０Ｔから提供されたトラフィックＤ２を処理し、トラフィックＤ２をセルラ通信により送信する。これに対し、第２のエンティティ４２０Ｔは、第３のエンティティ４３０Ｔから提供されたトラフィックＤ３を処理し、トラフィックＤ３をＷＬＡＮ通信により送信する。
【０１１４】
受信側であるＵＥ１００において、第１のエンティティ４１０Ｒは、セルラ通信によりトラフィックＤ２を受信し、トラフィックＤ２を処理して第３のエンティティ４３０Ｒに提供する。これに対し、第２のエンティティ４２０Ｒは、ＷＬＡＮ通信によりトラフィックＤ３を受信し、トラフィックＤ３を処理して第３のエンティティ４３０Ｒに提供する。第３のエンティティ４３０Ｒは、第１のエンティティ４１０Ｒから提供されたトラフィックＤ２及び第２のエンティティ４２０Ｒから提供されたトラフィックＤ３から、トラフィックＤ１を再構成し、トラフィックＤ１を処理して上位レイヤ（アプリケーション層等）に提供する。
【０１１５】
以下においては、ｅＮＢ２００のうちセルラ・ＷＬＡＮ一体型ｅＮＢ２００のみがセルラ・ＷＬＡＮアグリゲーションをサポートする一例を主として説明する。しかしながら、別ノードであるｅＮＢ２００及びＡＰ３００を直接的なインターフェイスを介して接続し、ｅＮＢ２００及びＡＰ３００の組み合わせによりセルラ・ＷＬＡＮアグリゲーションをサポートしてもよい。
【０１１６】
また、セルラ・ＷＬＡＮアグリゲーションの他の例については、その他の実施形態で説明する。
【０１１７】
（動作環境）
図８は、第１実施形態に係る動作環境を示す図である。
【０１１８】
図８に示すように、セルラ・ＷＬＡＮ一体型ｅＮＢ２００は、ＬＴＥカバレッジエリア及びＷＬＡＮカバレッジエリアを形成する。ＬＴＥカバレッジエリアは、小セルに相当するカバレッジサイズである。小セルは、フェムトセルであってもよく、ピコセルであってもよい。ＬＴＥカバレッジエリアは、ＷＬＡＮカバレッジエリアよりも広い。
【０１１９】
ＵＥ１００は、ＷＬＡＮカバレッジエリア外、かつ、ＬＴＥカバレッジエリア内に位置している。ＵＥ１００は、ＮＢ２００のセルをサービングセルとして選択している。ＵＥ１００は、上述したＵＥ主導型の切り替え制御を行う。
【０１２０】
ここで、セルラ通信からＷＬＡＮ通信に切り替えるか否かの切り替え判定において、ＵＥ１００は、第１の判定条件が満たされなければ、セルラ通信からＷＬＡＮ通信への切り替えを行わない。第１の判定条件は、セルラ通信の無線状態が良好ではないことを示す。
【０１２１】
図８の破線で示す円の内側は、セルラ通信の無線状態が良好な領域、すなわち、第１の判定条件が満たされない領域である。ＷＬＡＮカバレッジエリアは図８の破線で示す円の内側に存在している。よって、ＷＬＡＮカバレッジエリアにおいて第１の判定条件が満たされることが困難であり、セルラ・ＷＬＡＮ一体型ｅＮＢ２００のＷＬＡＮは殆ど使用されないことになる。そこで、第１実施形態では、以下の動作により、このような問題を解決する。
【０１２２】
（第１実施形態に係る動作）
ＵＥ１００は、セルラネットワークから特定のＷＬＡＮ識別子が指定されており、かつ、特定のＷＬＡＮ識別子を含むＷＬＡＮ受信信号を検出した場合、第１の判定条件に基づくことなく、第２の判定条件に基づいて切り替え判定を行う。第１実施形態では、特定のＷＬＡＮ識別子は、セルラ・ＷＬＡＮ一体型ｅＮＢ２００に割り当てられているＷＬＡＮ識別子である。
【０１２３】
特定のＷＬＡＮ識別子は、上述した補助情報（ブロードキャストＲＲＣシグナリング又は個別ＲＲＣシグナリング）に含まれていてもよい。或いは、特定のＷＬＡＮ識別子は、ＡＮＤＳＦサーバから提供されてもよい。
【０１２４】
以下においては、ブロードキャストＲＲＣシグナリング又は個別ＲＲＣシグナリングにより特定のＷＬＡＮ識別子を指定する一例を説明する。この場合、ＵＥ１００は、ブロードキャストＲＲＣシグナリングよりも個別ＲＲＣシグナリングを優先して適用することが好ましい。
【０１２５】
当該ブロードキャストＲＲＣシグナリング又は個別ＲＲＣシグナリングは、セルラ・ＷＬＡＮ一体型ｅＮＢ２００により送信されてもよい。或いは、当該ブロードキャストＲＲＣシグナリング又は個別ＲＲＣシグナリングは、セルラ・ＷＬＡＮ一体型ｅＮＢ２００と少なくとも一部が重複するセルを管理する他のｅＮＢ２００により送信されてもよい。
【０１２６】
図９は、特定のＷＬＡＮ識別子の指定方法の第１の例を示す図である。図９に示すように、セルラネットワークは、特定のＷＬＡＮ識別子のリストをＵＥ１００に提供する。第１実施形態では、当該リストは、セルラ・ＷＬＡＮ一体型ｅＮＢ２００に割り当てられているＷＬＡＮ識別子のリストである。ＵＥ１００は、ブロードキャストＲＲＣシグナリング又は個別ＲＲＣシグナリングにより送信された特定のＷＬＡＮ識別子を受信し、受信した特定のＷＬＡＮ識別子を記憶する。
【０１２７】
図１０は、第１実施形態に係るＵＥ１００の動作を示す図である。ここでは、ＵＥ１００が既に特定のＷＬＡＮ識別子を記憶していると仮定する。
【０１２８】
図１０に示すように、ステップＳ１０１において、ＵＥ１００は、ＷＬＡＮ信号を受信する。ＷＬＡＮ信号は、ＷＬＡＮビーコン又はプローブ応答等である。
【０１２９】
ステップＳ１０２において、ＵＥ１００は、ＷＬＡＮ受信信号に含まれるＷＬＡＮ識別子が特定のＷＬＡＮ識別子であるか否かを確認する。
【０１３０】
ＷＬＡＮ受信信号に含まれるＷＬＡＮ識別子が特定のＷＬＡＮ識別子でない場合、ステップＳ１０３において、ＵＥ１００は、第１の判定条件及び第２の判定条件の両方に基づいて、セルラ通信からＷＬＡＮ通信への切り替え判定を行う。
【０１３１】
一方、ＷＬＡＮ受信信号に含まれるＷＬＡＮ識別子が特定のＷＬＡＮ識別子である場合、ステップＳ１０４において、ＵＥ１００は、第１の判定条件に基づくことなく、第２の判定条件に基づいて、セルラ通信からＷＬＡＮ通信への切り替え判定を行う。つまり、第１の判定条件を適用せずに切り替え判定を行う。
【０１３２】
このような動作を図８の動作環境を例に説明する。特定のＷＬＡＮ識別子を記憶しているＵＥ１００がＷＬＡＮカバレッジエリアに移動した場合を想定する。
【０１３３】
ＵＥ１００は、ＷＬＡＮカバレッジエリアにおいて、特定のＷＬＡＮ識別子を含むＷＬＡＮ無線信号を受信する。ＵＥ１００は、当該特定のＷＬＡＮ識別子を含むＷＬＡＮ受信信号を検知し、セルラ通信からＷＬＡＮ通信への切り替え判定を行う。ＵＥ１００は、第１の判定条件に基づくことなく、第２の判定条件に基づいて切り替え判定を行う。これにより、セルラ・ＷＬＡＮ一体型ｅＮＢ２００のＷＬＡＮが使用され易くなる。
【０１３４】
図１１は、特定のＷＬＡＮ識別子の指定方法の第２の例を示す図である。
【０１３５】
図１１に示すように、セルラネットワークは、ＷＬＡＮ識別子のリストと、当該ＷＬＡＮ識別子が特定のＷＬＡＮ識別子であることを示すフラグと、をＵＥ１００に提供する。当該フラグは、例えば１ビットの情報（Ｃｏｌｌｏｃａｔｉｏｎ−Ｉｎｄｉｃａｔｏｒ）である。
【０１３６】
［第１実施形態の変更例１］
図１２は、第１実施形態の変更例１を示す図である。
【０１３７】
図１２に示すように、セルラネットワークは、セルラ・ＷＬＡＮ一体型ｅＮＢ２００に割り当てられているＷＬＡＮ識別子をＵＥ１００に提供する際に、セルラ・ＷＬＡＮ一体型ｅＮＢ２００に割り当てられているセル識別子（特定のセル識別子）をＵＥ１００に提供する。セル識別子は、物理セル識別子（ＰＣＩ）である。或いは、セル識別子は、ＥＵＴＲＡＮセル・グローバル識別子（ＥＣＧＩ）であってもよい。
【０１３８】
例えば、セルラ・ＷＬＡＮ一体型ｅＮＢ２００と少なくとも一部が重複するセルを管理する他のｅＮＢ２００がブロードキャストＲＲＣシグナリング又は個別ＲＲＣシグナリングにより特定のセル識別子を通知する。ＵＥ１００は、セルラ・ＷＬＡＮ一体型ｅＮＢ２００に割り当てられている特定のセル識別子がセルラネットワークから通知されており、自ＵＥ１００のＷＬＡＮ通信機能がオフである場合、当該特定のセル識別子を含むセルラ受信信号を検出したことに応じて、ＷＬＡＮ通信機能をオンにする。
【０１３９】
このような動作を図８の動作環境を例に説明する。特定のセル識別子を記憶しているＵＥ１００が、ＬＴＥカバレッジエリアに移動した場合を想定する。ＵＥ１００は、ＬＴＥカバレッジエリアにおいて、特定のセル識別子を含むセルラ無線信号を受信する。ＵＥ１００は、当該特定のセル識別子を含むセルラ受信信号を検知し、自ＵＥ１００のＷＬＡＮ通信機能をオフからオンに切り替える。これにより、セルラ・ＷＬＡＮ一体型ｅＮＢ２００のＷＬＡＮが使用され易くなる。
【０１４０】
［第１実施形態の変更例２］
上述した第１実施形態では、特定のＷＬＡＮ識別子として、セルラ・ＷＬＡＮ一体型ｅＮＢ２００に割り当てられているＷＬＡＮ識別子を例示した。
【０１４１】
しかしながら、特定のＷＬＡＮ識別子は、ｅＮＢ２００の近傍のＡＰ３００に割り当てられたＷＬＡＮ識別子であってもよい。ｅＮＢ２００の近傍とは、例えば図８の破線で示す円の内側の範囲を指す。
【０１４２】
本変更例によれば、ｅＮＢ２００の近傍のＡＰ３００が使用され易くなる。
【０１４３】
［第２実施形態］
次に、第２実施形態について説明する。第２実施形態に係るシステム構成、ＵＥ主導型の切り替え制御の基本動作、セルラ・ＷＬＡＮアグリゲーションの基本動作、及び動作環境は、第１実施形態と同様である。
【０１４４】
以下において、第２実施形態に係る動作について、第１実施形態に係る動作との相違点を主として説明する。
【０１４５】
第２実施形態では、セルラネットワーク（ｅＮＢ２００又はＡＮＤＳＦサーバ）は、切り替え判定に使用される閾値をＷＬＡＮ識別子ごとに指定する。例えば、ｅＮＢ２００は、ブロードキャストＲＲＣシグナリング又は個別ＲＲＣシグナリングにより、複数のＷＬＡＮ識別子と、当該複数のＷＬＡＮ識別子のそれぞれに対応する閾値からなる複数の閾値と、を送信する。
【０１４６】
当該ブロードキャストＲＲＣシグナリング又は個別ＲＲＣシグナリングは、セルラ・ＷＬＡＮ一体型ｅＮＢ２００により送信されてもよい。或いは、当該ブロードキャストＲＲＣシグナリング又は個別ＲＲＣシグナリングは、セルラ・ＷＬＡＮ一体型ｅＮＢ２００と少なくとも一部が重複するセルを管理する他のｅＮＢ２００により送信されてもよい。
【０１４７】
ＵＥ１００は、ＷＬＡＮ識別子ごとの閾値を受信し、ＷＬＡＮ識別子ごとの閾値を記憶する。ＵＥ１００は、ＷＬＡＮ識別子ごとに閾値が指定されている場合、ＷＬＡＮ受信信号に含まれるＷＬＡＮ識別子に対応する閾値を切り替え判定に使用する。
【０１４８】
図１３は、第２実施形態に係るＵＥ１００の動作を示す図である。ここでは、ＵＥ１００がＷＬＡＮ識別子ごとに閾値を記憶していると仮定する。また、閾値として、第１の判定条件における「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」を想定する。
【０１４９】
図１３に示すように、ステップＳ２０１において、ＵＥ１００は、ＷＬＡＮ信号を受信する。ＷＬＡＮ信号は、ＷＬＡＮビーコン又はプローブ応答等である。
【０１５０】
ステップＳ２０２において、ＵＥ１００は、ＷＬＡＮ識別子ごとに記憶している「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」の中から、ＷＬＡＮ受信信号に含まれるＷＬＡＮ識別子に対応する「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」を選択する。
【０１５１】
ステップＳ２０３において、ＵＥ１００は、第１の判定条件及び第２の判定条件に基づいて、セルラ通信からＷＬＡＮ通信への切り替え判定を行う。ここで、第１の判定条件には、ステップＳ２０２で選択した「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」が使用される。
【０１５２】
このような動作を図８の動作環境を例に説明する。セルラネットワークは、セルラ・ＷＬＡＮ一体型ｅＮＢ２００に割り当てられたＷＬＡＮ識別子（特定のＷＬＡＮ識別子）に対応する「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」を、他のＷＬＡＮ識別子に比べて十分大きく設定する。これは、図８の破線で示す円が縮小することを意味するので、セルラ・ＷＬＡＮ一体型ｅＮＢ２００のＷＬＡＮが使用され易くなる。
【０１５３】
また、当該特定のＷＬＡＮ識別子に対応する「ＴｈｒｅｓｈＳｅｒｖｉｎｇＯｆｆｌｏａｄＷＬＡＮ，  ＬｏｗＰ」をＲＳＲＰ最大値に設定し、当該特定のＷＬＡＮ識別子に対応する「ＴｈｒｅｓｈＳｅｒｖｉｎｇＯｆｆｌｏａｄＷＬＡＮ，  ＬｏｗＱ」をＲＳＲＱ最大値に設定することにより、ＵＥ１００は、実質的に第１の判定条件を適用せずに、セルラ通信からＷＬＡＮ通信への切り替え判定を行うことになる。これにより、セルラ・ＷＬＡＮ一体型ｅＮＢ２００のＷＬＡＮが使用され易くなる。
【０１５４】
［第２実施形態の変更例１］
上述した第２実施形態では、セルラネットワークは、切り替え判定に使用される閾値をＷＬＡＮ識別子ごとに直接的に指定していた。しかしながら、セルラネットワークは、切り替え判定に使用される閾値をＷＬＡＮ識別子ごとに間接的に指定してもよい。
【０１５５】
本変更例では、セルラネットワークは、切り替え判定に使用される閾値に対するオフセット値を、ＷＬＡＮ識別子ごとに指定する。例えば、セルラ・ＷＬＡＮ一体型ｅＮＢ２００に割り当てられたＷＬＡＮ識別子（特定のＷＬＡＮ識別子）に対応する「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」を、他のＷＬＡＮ識別子に比べて十分大きく設定（無限大（Infinity）に設定してもよい）するための正のオフセット値を指定する。
【０１５６】
ＵＥ１００は、ＷＬＡＮ受信信号に含まれるＷＬＡＮ識別子が特定のＷＬＡＮ識別子である場合、特定のＷＬＡＮ識別子に対応するオフセット値を適用して、「ＴｈｒｅｓｈＳｅｒｖｉｎｇＯｆｆｌｏａｄＷＬＡＮ，  ＬｏｗＰ」及び「ＴｈｒｅｓｈＳｅｒｖｉｎｇＯｆｆｌｏａｄＷＬＡＮ，  ＬｏｗＱ」の値を大きく設定する。これは、図８の破線で示す円が縮小することを意味するので、セルラ・ＷＬＡＮ一体型ｅＮＢ２００のＷＬＡＮが使用され易くなる。
【０１５７】
［第２実施形態の変更例２］
上述した第２実施形態及びその変更例１では、特定のＷＬＡＮ識別子として、セルラ・ＷＬＡＮ一体型ｅＮＢ２００に割り当てられているＷＬＡＮ識別子を例示した。
【０１５８】
しかしながら、特定のＷＬＡＮ識別子は、ｅＮＢ２００の近傍のＡＰ３００に割り当てられたＷＬＡＮ識別子であってもよい。本変更例によれば、ｅＮＢ２００の近傍のＡＰ３００が使用され易くなる。
【０１５９】
［第３実施形態］
次に、第３実施形態について説明する。第３実施形態に係るシステム構成、ＵＥ主導型の切り替え制御の基本動作、セルラ・ＷＬＡＮアグリゲーションの基本動作、及び動作環境は、第１実施形態と同様である。
【０１６０】
以下において、第３実施形態に係る動作について、第１実施形態及び第２実施形態に係る動作との相違点を主として説明する。
【０１６１】
上述したように、ＵＥ主導型の切り替え制御では、ＡＰＮ単位でトラフィック切り替えが行われる。これに対し、セルラ・ＷＬＡＮアグリゲーションでは、同一データベアラに属するトラフィックをセルラ通信及びＷＬＡＮ通信を併用して送受信することが可能である。また、セルラ・ＷＬＡＮアグリゲーションの制御は、ｅＮＢ２００主導で行われることが想定される。よって、セルラ・ＷＬＡＮアグリゲーションをサポートするノードに対して、ＵＥ主導で全てのトラフィックを切り替えることは好ましくない。ここで、セルラ・ＷＬＡＮアグリゲーションをサポートするノードとは、セルラ・ＷＬＡＮ一体型ｅＮＢ２００、又はｅＮＢ２００と直接的に接続されたＡＰ３００である。
【０１６２】
第３実施形態では、ＵＥ１００は、セルラネットワーク（ｅＮＢ２００又はＡＮＤＳＦサーバ）から特定のＷＬＡＮ識別子が指定されている場合、特定のＷＬＡＮ識別子についてＵＥ主導型の切り替え制御を無効とする。特定のＷＬＡＮ識別子は、セルラ・ＷＬＡＮアグリゲーションをサポートするノードに割り当てられているＷＬＡＮ識別子である。
【０１６３】
例えば、ｅＮＢ２００は、ブロードキャストＲＲＣシグナリング又は個別ＲＲＣシグナリングにより、特定のＷＬＡＮ識別子のリストをＵＥ１００に送信する。特定のＷＬＡＮ識別子の指定方法は、図９に示した方法を流用してもよいし、図１１に示した方法を流用してもよい。また、個別ＲＲＣシグナリングは、ＷＬＡＮ測定を設定するためのＷＬＡＮ測定指示であってもよい。この場合、特定のＷＬＡＮ識別子は、ＷＬＡＮ測定指示に含まれる。
【０１６４】
図１４は、第３実施形態に係るＵＥ１００の動作を示す図である。ここでは、ＵＥ１００が既に特定のＷＬＡＮ識別子を記憶していると仮定する。
【０１６５】
図１４に示すように、ステップＳ３０１において、ＵＥ１００は、ＷＬＡＮ信号を受信する。ＷＬＡＮ信号は、ＷＬＡＮビーコン又はプローブ応答等である。
【０１６６】
ステップＳ３０２において、ＵＥ１００は、ＷＬＡＮ受信信号に含まれるＷＬＡＮ識別子が特定のＷＬＡＮ識別子であるか否かを確認する。
【０１６７】
ＷＬＡＮ受信信号に含まれるＷＬＡＮ識別子が特定のＷＬＡＮ識別子でない場合、ステップＳ３０３において、ＵＥ１００は、ＵＥ主導型の切り替え制御を有効化し、セルラ通信からＷＬＡＮ通信への切り替え判定を行う。
【０１６８】
一方、ＷＬＡＮ受信信号に含まれるＷＬＡＮ識別子が特定のＷＬＡＮ識別子である場合、ステップＳ３０４において、ＵＥ１００は、ＵＥ主導型の切り替え制御を無効化し、セルラ通信からＷＬＡＮ通信への切り替え判定を行わない。
【０１６９】
［第４実施形態］
次に、第４実施形態について説明する。第４実施形態に係るシステム構成、ＵＥ主導型の切り替え制御の基本動作、セルラ・ＷＬＡＮアグリゲーションの基本動作、及び動作環境は、第１実施形態と同様である。
【０１７０】
以下において、第４実施形態に係る動作について、第１実施形態乃至第３実施形態に係る動作との相違点を主として説明する。
【０１７１】
上述した第３実施形態は、セルラ・ＷＬＡＮアグリゲーションが開始されていない場合を想定していた。しかしながら、セルラ・ＷＬＡＮアグリゲーションを実行中においても、ＵＥ主導型の切り替え制御が行われることは好ましくない。
【０１７２】
そこで、第４実施形態では、ＵＥ１００は、セルラ・ＷＬＡＮアグリゲーションを実行中である場合、ＵＥ主導型の切り替え制御を無効とする。例えば、ＵＥ１００は、上述した補助情報を無視することにより、ＵＥ主導型の切り替え制御を無効とする。
【０１７３】
図１５は、第４実施形態に係るＵＥ１００の動作を示す図である。
【０１７４】
図１５に示すように、ステップＳ４０１において、ＵＥ１００は、セルラ・ＷＬＡＮアグリゲーションを実行中であるか否かを確認する。
【０１７５】
セルラ・ＷＬＡＮアグリゲーションを実行中でない場合、ステップＳ４０２において、ＵＥ１００は、ＵＥ主導型の切り替え制御を有効化する。
【０１７６】
一方、セルラ・ＷＬＡＮアグリゲーションを実行中である場合、ステップＳ４０３において、ＵＥ１００は、ＵＥ主導型の切り替え制御を無効化する。
【０１７７】
［第５実施形態］
次に、第５実施形態について説明する。第５実施形態に係るシステム構成、ＵＥ主導型の切り替え制御の基本動作、セルラ・ＷＬＡＮアグリゲーションの基本動作、及び動作環境は、第１実施形態と同様である。
【０１７８】
以下において、第５実施形態に係る動作について、第１実施形態乃至第４実施形態に係る動作との相違点を主として説明する。
【０１７９】
図１６は、第５実施形態に係る動作を示す図である。ここでは、セルラ・ＷＬＡＮアグリゲーションを実行中であると仮定する。
【０１８０】
図１６に示すように、ＵＥ１００は、セルラ通信のＭＡＣ層以下の第１のエンティティ４１０Ａと、ＷＬＡＮ通信のＭＡＣ層以下の第２のエンティティ４２０Ａと、セルラ通信のＲＬＣ層以上の第３のエンティティ４３０Ａと、を含む。第３のエンティティ４３０Ａは、ＲＬＣ層及びＰＤＣＰ層だけでなく、ＲＲＣ層を含んでもよい。第２のエンティティ４２０Ａと第３のエンティティ４３０Ａとの間には、ＷＬＡＮ  ＭＡＣ層とＬＴＥ  ＲＬＣ層との間でプロトコル変換を行う第４のエンティティ（ＷＬＡＮ  ＲＬＣ  ａｄａｐｔａｔｉｏｎ）が設けられてもよい。
【０１８１】
セルラ・ＷＬＡＮ一体型ｅＮＢ２００は、セルラ通信のＭＡＣ層以下の第１のエンティティ４１０Ｂと、ＷＬＡＮ通信のＭＡＣ層以下の第２のエンティティ４２０Ｂと、セルラ通信のＲＬＣ層以上の第３のエンティティ４３０Ｂと、を含む。第３のエンティティ４３０Ｂは、ＲＬＣ層及びＰＤＣＰ層だけでなく、ＲＲＣ層を含んでもよい。第２のエンティティ４２０Ｂと第３のエンティティ４３０Ｂとの間には、ＷＬＡＮ  ＭＡＣ層とＬＴＥ  ＲＬＣ層との間でプロトコル変換を行う第４のエンティティ（ＷＬＡＮ  ＲＬＣ  ａｄａｐｔａｔｉｏｎ）が設けられてもよい。
【０１８２】
上述したように、セルラカバレッジエリアは、ＷＬＡＮカバレッジエリアよりも広い。また、セルラ通信はライセンスドバンドで行われるため、アンライセンスドバンドで行われるＷＬＡＮ通信に比べて安定した通信が可能である。
【０１８３】
そこで、セルラ・ＷＬＡＮアグリゲーションにおいて、ＵＥ１００の第３のエンティティ４３０Ａは、第２のエンティティ４２０Ａを介さずに、第１のエンティティ４１０Ａを介して制御信号をｅＮＢ２００と送受信する。また、ｅＮＢ２００の第３のエンティティ４３０Ｂは、第２のエンティティ４２０Ｂを介さずに、第１のエンティティ４１０Ｂを介して制御信号をＵＥ１００と送受信する。
【０１８４】
このように、第３のエンティティ４３０が第１のエンティティ４１０Ｂを介して制御信号を送受信することにより、制御信号を安定的に送受信することができるため、セルラ・ＷＬＡＮアグリゲーションの信頼性を高めることができる。
【０１８５】
第３のエンティティ４３０が送受信する制御信号とは、ＲＬＣ層の制御信号（例えば、ＡＣＫ／ＮＡＣＫ）である。或いは、第３のエンティティ４３０が送受信する制御信号とは、ＰＤＣＰ層の制御信号であってもよい。或いは、第３のエンティティ４３０が送受信する制御信号とは、ＲＲＣ層の制御信号であってもよい。
【０１８６】
［第６実施形態］
次に、第６実施形態について説明する。第６実施形態に係るシステム構成、ＵＥ主導型の切り替え制御の基本動作、セルラ・ＷＬＡＮアグリゲーションの基本動作、及び動作環境は、第１実施形態と同様である。
【０１８７】
以下において、第６実施形態に係る動作について、第１実施形態乃至第５実施形態に係る動作との相違点を主として説明する。
【０１８８】
上述したように、セルラ・ＷＬＡＮアグリゲーションは、動的なセルラ・ＷＬＡＮ無線インターワーキングを可能としようとする技術である。よって、セルラ・ＷＬＡＮアグリゲーションにおけるセルラ・ＷＬＡＮリソース割り振りの比率を決定する方法を確立することが好ましい。
【０１８９】
図１７は、第６実施形態に係るｅＮＢ２００の動作を示す図である。ここでは、ｅＮＢ２００がセルラ・ＷＬＡＮ一体型ｅＮＢ２００である場合を想定する。
【０１９０】
図１７に示すように、ステップＳ６０１において、ｅＮＢ２００は、セルラ・ＷＬＡＮアグリゲーションを実行する際に、ＵＥ１００の未送信データ量を示すバッファ状態報告をＵＥ１００から受信する。
【０１９１】
ステップＳ６０２において、ｅＮＢ２００は、バッファ状態報告に基づいて、セルラ通信の上りリンクにおいてＵＥ１００に割り当てる無線リソースとＷＬＡＮ通信の上りリンクにおいてＵＥ１００に割り当てる無線リソースとの比率を決定する。
【０１９２】
セルラ・ＷＬＡＮアグリゲーションを実行中において、バッファ状態報告は、ＵＥ１００の第３のエンティティ４３０Ａにより生成されることが好ましい。すなわち、ＵＥ１００は、ＲＬＣ層又はＰＤＣＰ層における未送信データ量をバッファ状態報告によりｅＮＢ２００に通知する。バッファ状態報告はＭＡＣ層、物理層の未送信データ量を含んでもよい。これにより、ｅＮＢ２００は、ＵＥ１００の全体的な未送信データ量を把握して、セルラ・ＷＬＡＮリソース割り振りの比率を適切に決定できる。
【０１９３】
或いは、セルラ通信を開始した後、セルラ・ＷＬＡＮアグリゲーションを開始する場合、バッファ状態報告は、ＵＥ１００の第１のエンティティ４１０Ａにより生成されたものであってもよい。これにより、ｅＮＢ２００は、セルラ・ＷＬＡＮアグリゲーションを開始する際のセルラ・ＷＬＡＮリソース割り振りの比率を決定できる。
【０１９４】
ｅＮＢ２００は、セルラ・ＷＬＡＮリソース割り振りの比率を決定した場合、セルラ・ＷＬＡＮアグリゲーションを実行中のＵＥ１００（セルラ・ＷＬＡＮアグリゲーションを開始するＵＥ１００）に対して、セルラ通信によるＵＥ１００の送信データ量とＷＬＡＮ通信によるＵＥ１００の送信データ量との比率である上り送信比率を設定する制御情報を送信することができる。例えば、ｅＮＢ２００は、制御情報を含むＲＲＣ  Ｃｏｎｎｅｃｔｉｏｎ  ＲｅｃｏｎｆｉｇｕｒａｔｉｏｎメッセージをＵＥ１００に送信してもよい。或いは、ｅＮＢ２００は、ＤＣＩ、ＭＡＣ  ＣＥ、ＲＬＣ  Ｃｏｎｔｒｏｌ  ＰＤＵ、及びＰＤＣＰ  Ｃｏｎｔｒｏｌ  ＰＤＵの少なくともいずれかによって、制御情報をＵＥ１００に送信（通知）してもよい。
【０１９５】
ＵＥ１００は、制御情報に基づいて、上り送信比率を設定する。ＵＥ１００は、設定された上り送信比率に基づいて、上りリンクにおける送信データをセルラ通信及びＷＬＡＮ通信を併用して送信する。
【０１９６】
なお、ｅＮＢ２００がセルラ・ＷＬＡＮ一体型ｅＮＢ２００でない場合、セルラ・ＷＬＡＮアグリゲーションの対象となるＡＰ３００がセルラ・ＷＬＡＮリソース割り振りの比率（又は上り送信比率）を決定して、決定された比率をｅＮＢ２００に送信してもよい。
【０１９７】
また、ｅＮＢ２００がセルラ・ＷＬＡＮ一体型ｅＮＢ２００である場合、ＷＬＡＮ通信におけるスループットを推定可能な情報に基づいて、上り送信比率を決定してもよい。ｅＮＢ２００がセルラ・ＷＬＡＮ一体型ｅＮＢ２００でない場合、ｅＮＢ２００は、セルラ・ＷＬＡＮアグリゲーションを実行するＡＰ３００のスループットを推定可能な情報をＡＰ３００から取得し、当該取得した情報に基づいて、上り送信比率を決定してもよい。
【０１９８】
スループットを推定可能な情報は、例えば、ＡＰ３００に接続しているＵＥの数（ｅＮＢ２００がセルラ・ＷＬＡＮ一体型ｅＮＢ２００である場合、ＷＬＡＮ通信を行っているＵＥの数）、ＷＬＡＮ通信におけるチャネル利用率（ＷＬＡＮ  ｃｈａｎｎｅｌ  ｕｔｉｌｉｚａｔｉｏｎ）、ＷＬＡＮ通信において利用可能な下り周波数帯（ＷＬＡＮ  ＤＬＢａｎｄｗｉｄｔｈ）、及び、ＷＬＡＮ通信において利用可能な上り周波数帯（ＷＬＡＮ  ＵＬＢａｎｄｗｉｄｔｈ）の少なくともいずれかである。
【０１９９】
なお、スループットを推定可能な情報は、上り送信比率だけでなく、下りリンクにおけるセルラ通信によるＵＥ１００への送信データ量（ｅＮＢ２００の送信データ量）とＷＬＡＮ通信によるＵＥ１００への送信データ量（ＡＰ３００の送信データ量）との比率である下り送信比率を決定するために用いられてもよい。
【０２００】
ｅＮＢ２００は、下りリンクにおいてのみセルラ・ＷＬＡＮアグリゲーションを実行すると決定してもよい。この場合、上り送信比率は、１００（セルラ通信）対０（ＷＬＡＮ通信）である。なお、下り送信比率を、０（セルラ通信）対１００（ＷＬＡＮ通信）としてもよい。
【０２０１】
また、ｅＮＢ２００は、ＷＬＡＮ通信における無線リンク障害が発生した場合、ＷＬＡＮ通信の利用率を設定値よりも低減させることができる。ここで、ＷＬＡＮ通信の利用率は、セルラ通信及びＷＬＡＮ通信の上り（下り）送信比率に対するＷＬＡＮ通信の上り（下り）送信比率（＝（ＷＬＡＮ通信の上り（下り）送信比率）／（セルラ通信及びＷＬＡＮ通信の上り（下り）送信比率））である。
【０２０２】
ｅＮＢ２００は、例えば、上り送信比率及び下り送信比率を１００（セルラ通信）対０（ＷＬＡＮ通信）に設定してもよい。この場合、ｅＮＢ２００は、当該設定値を示す制御情報を明示的にＵＥ１００に送信してもよい。この設定値は、例えば、上り送信比率、下り送信比率、ＷＬＡＮ通信の利用率などである。
【０２０３】
或いは、ＵＥ１００は、ＷＬＡＮ通信の利用率が閾値よりも低減するように（例えば、１００（セルラ通信）対０（ＷＬＡＮ通信）になるように）、上り送信比率及び下り送信比率を自律的に設定してもよい。例えば、ＵＥ１００は、ＷＬＡＮ通信における無線リンク障害を検知して、ｅＮＢ２００に無線リンク障害報告を送信した場合、ｅＮＢ２００は、ＵＥ１００が上り送信比率及び下り送信比率を自律的に設定したと判定してもよい。
【０２０４】
なお、ｅＮＢ２００は、ＷＬＡＮ通信における無線リンク障害が発生した場合、ＷＬＡＮ通信における送信データ量を減らしてもよい。これにより、セルラ通信における送信データ量が増えるため、結果的に、ＷＬＡＮ通信の利用率が低減する。
【０２０５】
ＷＬＡＮ通信における無線リンク障害が解消した場合、ＵＥ１００は、ＷＬＡＮ通信における無線リンク障害が発生する前の設定値に上り送信比率及び下り送信比率を自律的に戻してもよい。或いは、ＵＥ１００は、ＷＬＡＮ通信における無線リンク障害が解消した後に、ｅＮＢ２００から受信した制御情報に基づいて、上り送信比率及び下り送信比率を新たに設定してもよい。
【０２０６】
或いは、ＵＥ１００は、ｅＮＢ２００から受信した制御情報に基づいて上り送信比率を設定する第１モードと、上り送信比率を自律的に設定する第２モードとを切り替え可能であってもよい。例えば、ｅＮＢ２００は、第１モードと第２モードとの切り替えに関する制御情報をＵＥ１００に送信してもよい。この制御情報は、第１モード又は第２モードに切り替えるためのフラグ情報であってもよい。例えば、第１モードを示すフラグがＯＮである制御情報を受信したＵＥ１００は、第１モードに切り替え、第１モードを示すフラグがＯＦＦである制御情報を受信したＵＥ１００は、第２モードに切り替える。或いは、制御情報は、第１モードと第２モードとを切り替えるためのトリガを示す情報であってもよい。例えば、ＵＥ１００は、ＡＰ３００から受信した負荷情報によって示される負荷（例えば、ＷＬＡＮチャネル使用率、ＷＬＡＮバックホールの利用可能伝送レート）が閾値以上である場合、第１モードに切り替え、ＡＰ３００から受信した負荷情報によって示される負荷が閾値未満である場合、第２モードに切り替える。
【０２０７】
［第６実施形態の変更例１］
次に、第６実施形態の変更例１について、図１８から図２０を用いて説明する。図１８は、第６実施形態の変更例１に係るＵＥ１００が有するバッファを説明するための図（その１）である。図１９は、第６実施形態の変更例１に係るＵＥ１００が有するバッファを説明するための図（その２）である。図２０は、第６実施形態の変更例１に係るＵＥ１００が有するバッファを説明するための図（その３）である。以下において、第６実施形態と異なる部分を中心に説明し、同様の部分は説明を適宜省略する。第６実施形態の変更例１では、ＵＥ１００がｅＮＢ２００に送信するバッファ状態報告について詳細に説明する。
【０２０８】
本変更例において、セルラ・ＷＬＡＮアグリゲーションを実行するＵＥ１００は、以下に示すいずれかの形態のバッファを有する。
【０２０９】
（Ａ）第１のバッファ形態
図１８に示すように、セルラ・ＷＬＡＮアグリゲーションを実行中のＵＥ１００は、セルラ通信における未送信データを記憶する第１のＲＬＣ  ＰＤＵバッファ（ＰＤＵ  ｂｕｆｆｅｒ  ｆｏｒ  ｌｉｃｅｎｓｅｄ  ｓｐｅｃｔｒｕｍ）６１０ｃと、ＷＬＡＮ通信における未送信データを記憶する第２のＲＬＣ  ＰＤＵバッファ（ＰＤＵ  ｂｕｆｆｅｒ  ｆｏｒ  ｕｎｌｉｃｅｎｓｅｄ  ｓｐｅｃｔｒｕｍ）６１０ｗとを有する。具体的には、第１のＲＬＣ  ＰＤＵバッファ６１０ｃは、ＲＬＣ層６１０によって処理が行われ、且つセルラ通信におけるＭＡＣ層への送信待ちのデータユニットを記憶する。第２のＲＬＣ  ＰＤＵバッファ６１０ｗは、ＲＬＣ層６１０によって処理が行われ、且つＷＬＡＮ通信におけるＭＡＣ層への送信待ちのデータユニットを記憶する。
【０２１０】
第１のバッファ形態では、ＷＬＡＮ通信における未送信データは、送信用のデータとしてｅＮＢ２００に直接的に報告されないケースである。
【０２１１】
ＵＥ１００は、セルラ・ＷＬＡＮアグリゲーションを実行中に、第１のＲＬＣ  ＰＤＵバッファ６１０ｃ及び第２のＲＬＣ  ＰＤＵバッファ６１０ｗに基づいて、未送信データ量を示すバッファ状態報告（ＢＳＲ）をｅＮＢ２００に送信できる。具体的には、ＵＥ１００は、以下の第１から第３の方法のいずれかに基づいて、バッファ状態報告によって示される未送信データ量を算出する。
【０２１２】
第１に、ＵＥ１００は、セルラ通信における未送信データ量のみを未送信データ量として算出する。従って、ＵＥ１００は、当該未送信データ量を示すバッファ状態報告をｅＮＢ２００に送信できる。この場合において、バッファ状態報告が示す未送信データ量は、例えば、第１のＲＬＣ  ＰＤＵバッファ６１０ｃに記憶された未送信データ量そのものである。
【０２１３】
第２に、ＵＥ１００は、セルラ通信及びＷＬＡＮ通信の上りリンクにおける送信データ量に対するセルラ通信の上りリンクにおける送信データ量の比率（分割比率）に応じて補正されたセルラ通信における未送信データ量を算出する。
【０２１４】
ここで、ＲＬＣ  ＳＤＵバッファ６１０ｓ、ＰＤＣＰ  ＰＤＵバッファ６２０ｐ及びＰＤＣＰ  ＳＤＵバッファ６２０ｓは、セルラ通信及びＷＬＡＮ通信における未送信データが記憶されている。このため、ＵＥ１００は、これらの未送信データ量を示す通常のバッファ状態報告をｅＮＢ２００に送信しても、ｅＮＢ２００は、セルラ通信における未送信データ量が把握できない。
【０２１５】
従って、ＵＥ１００は、分割比率に応じて補正されたセルラ通信における未送信データ量を示すバッファ状態報告をｅＮＢ２００に送信できる。これによって、ｅＮＢ２００は、セルラ通信における未送信データ量を把握できる。
【０２１６】
例えば、ＵＥ１００は、ＲＬＣ  ＳＤＵバッファ６１０ｓに記憶された未送信データを分割比率に応じて補正する。ＵＥ１００は、補正された未送信データをセルラ通信における未送信データ量として、ｅＮＢ２００に報告する。なお、ＵＥ１００は、ＰＤＣＰ  ＰＤＵバッファ６２０ｐ（又はＰＤＣＰ  ＳＤＵバッファ６２０ｓ）に記憶された未送信データ量を分割比率に応じて補正し、補正された未送信データ量を示すバッファ状態報告をｅＮＢ２００に送信してもよい。
【０２１７】
なお、ＲＬＣ  ＳＤＵバッファ６１０ｓは、ＰＤＣＰ層６２０によって処理が行われ、且つＲＬＣ層６１０における処理待ちのデータユニットを記憶する。ＰＤＣＰ  ＰＤＵバッファ６２０ｐは、ＰＤＣＰ層６２０によって処理が行われ、且つＲＬＣ層６１０への送信待ちのデータユニットを記憶する。ＰＤＣＰ  ＳＤＵバッファ６２０ｓは、ＰＤＣＰ層６２０における処理待ちのデータユニットを記憶する。
【０２１８】
第３に、ＵＥ１００は、セルラ通信における未送信データ量にＷＬＡＮ通信における未送信データ量を加えて、未送信データ量を算出する。従って、ＵＥ１００は、セルラ通信における未送信データ量及びＷＬＡＮ通信における未送信データ量を示すバッファ状態報告をｅＮＢ２００に送信できる。具体的には、バッファ状態報告によって示される未送信データ量は、第１のＲＬＣ  ＰＤＵバッファ６１０ｃと第２のＲＬＣ  ＰＤＵバッファ６１０ｗとに記憶された未送信データ量の合計値である。
【０２１９】
これにより、バッファ状態報告によって示される未送信データ量は、セルラ通信における未送信データ量だけでなく、ＷＬＡＮ通信における未送信データ量が考慮されている。従って、ｅＮＢ２００は、バッファ状態報告に基づいて、セルラ・ＷＬＡＮリソース割り振りの比率を適切に決定できる。
【０２２０】
なお、第１のバッファ形態では、ｅＮＢ２００は、ＲＬＣ層において、セルラ通信によりＵＥ１００から送信されたデータユニットと、ＷＬＡＮ通信によりＵＥ１００から送信されたデータユニットとを結合する。
【０２２１】
（Ｂ）第２のバッファ形態
図１９に示すように、セルラ・ＷＬＡＮアグリゲーションを実行中のＵＥ１００は、セルラ通信における未送信データを記憶する第１のＰＤＣＰ  ＰＤＵバッファ（ＰＤＵ  ｂｕｆｆｅｒ  ｆｏｒ  ｌｉｃｅｎｓｅｄ  ｓｐｅｃｔｒｕｍ）６２０ｃと、ＷＬＡＮ通信における未送信データを記憶する第２のＰＤＣＰ  ＰＤＵバッファ（ＰＤＵ  ｂｕｆｆｅｒ  ｆｏｒ  ｕｎｌｉｃｅｎｓｅｄ  ｓｐｅｃｔｒｕｍ）６２０ｗとを有する。具体的には、第１のＰＤＣＰ  ＰＤＵバッファ６２０ｃは、ＰＤＣＰ層６２０によって処理が行われ、且つセルラ通信におけるＲＬＣ層への送信待ちのデータユニットを記憶する。第２のＰＤＣＰ  ＰＤＵバッファ６１０ｗは、ＰＤＣＰ層６２０によって処理が行われ、且つＷＬＡＮ通信におけるＭＡＣ層への送信待ちのデータユニットを記憶する。
【０２２２】
ＵＥ１００は、セルラ・ＷＬＡＮアグリゲーションを実行中に、第１のＰＤＣＰ  ＰＤＵバッファ６２０ｃ及び第２のＰＤＣＰ  ＰＤＵバッファ６２０ｗに基づいて、未送信データ量を示すバッファ状態報告をｅＮＢ２００に送信できる。具体的には、ＵＥ１００は、以下の第１から第３の方法のいずれかに基づいて、バッファ状態報告によって示される未送信データ量を算出する。なお、上述の第１のバッファ形態と同様の部分は、説明を適宜省略する。
【０２２３】
第１に、ＵＥ１００は、セルラ通信における未送信データ量のみを未送信データ量として算出する。従って、ＵＥ１００は、当該未送信データ量を示すバッファ状態報告をｅＮＢ２００に送信できる。この場合において、バッファ状態報告が示す未送信データ量は、例えば、第１のＰＤＣＰ  ＰＤＵバッファ６２０ｃに記憶された未送信データ量そのものである。
【０２２４】
第２に、ＵＥ１００は、分割比率に応じて補正されたセルラ通信における未送信データ量を算出する。
【０２２５】
例えば、ＵＥ１００は、ＰＤＣＰ  ＳＤＵバッファ６２０ｓｓに記憶された未送信データを分割比率に応じて補正する。ＵＥ１００は、補正された未送信データをセルラ通信における未送信データ量として、ｅＮＢ２００に報告することができる。
【０２２６】
第３に、ＵＥ１００は、セルラ通信における未送信データ量にＷＬＡＮ通信における未送信データ量を加えて、未送信データ量を算出する。具体的には、バッファ状態報告によって示される未送信データ量は、第１のＰＤＣＰ  ＰＤＵバッファ６２０ｃと第２のＰＤＣＰ  ＰＤＵバッファ６２０ｗとに記憶された未送信データ量の合計値である。
【０２２７】
なお、ＰＤＣＰ層６２０において、第２のＰＤＣＰ  ＰＤＵバッファ６２０ｗに記憶されるデータユニット（パケット）は、トラフィックタイプに応じて、以下の４つのアクセスカテゴリ（ＡＣ：ＡＣ＿ＶＯ／ＡＣ＿ＶＩ／ＡＣ＿ＢＥ／ＡＣ＿ＢＫ）に分類されてもよい。ＰＤＣＰ層６２０は、分類したアクセスカテゴリの種別をＷＬＡＮ通信側のＭＡＣ層（ＭＡＣ  ｆｏｒ  ｕｎｌｉｃｅｎｓｅｄ  ｓｐｅｃｔｒｕｍ）に通知してもよい。
【０２２８】
・ＡＣ＿ＶＯ（優先度１）：Ｖｏｉｃｅ
・ＡＣ＿ＶＩ（優先度２）：Ｖｉｄｅｏ
・ＡＣ＿ＢＥ（優先度３）：Ｂｅｓｔ  Ｅｆｆｏｒｔ
・ＡＣ＿ＢＫ（優先度４）：Ｂａｃｋ  Ｇｒｏｕｎｄ
【０２２９】
なお、第２のバッファ形態では、ｅＮＢ２００は、ＰＤＣＰ層において、セルラ通信によりＵＥ１００から送信されたデータユニットと、ＷＬＡＮ通信によりＵＥ１００から送信されたデータユニットとを結合する。
【０２３０】
（Ｃ）第３のバッファ形態
図２０に示すように、セルラ・ＷＬＡＮアグリゲーションを実行中のＵＥ１００は、第１のＲＬＣ  ＰＤＵバッファ６１０ｃと、第２のＲＬＣ  ＰＤＵバッファ６１０ｗと、第１のＰＤＣＰ  ＰＤＵバッファ６２０ｃと、第２のＰＤＣＰ  ＰＤＵバッファ６２０ｗと、を有する。さらに、ＵＥ１００は、ＷＬＡＮ通信における未送信データを記憶するＷＬＡＮ入力バッファ６３０を有する。ＷＬＡＮ入力バッファ６３０は、ＷＬＡＮ通信におけるＭＡＣ層への処理待ちのデータユニットを記憶する。第２のＲＬＣ  ＰＤＵバッファ６１０ｗ内のデータユニット及び第２のＰＤＣＰ  ＰＤＵバッファ６２０ｗ内のデータユニットが、ＷＬＡＮ入力バッファ６３０に入力される。
【０２３１】
第３のバッファ形態では、ＷＬＡＮ通信における未送信データは、送信用のデータとしてｅＮＢ２００に直接的に報告できるケースである。
【０２３２】
従って、ＵＥ１００は、セルラ通信における未送信データ量とＷＬＡＮ通信における未送信データ量とのそれぞれを、未送信データ量として算出する。例えば、ＷＬＡＮ通信における未送信データ量は、第２のＲＬＣ  ＰＤＵバッファ６１０ｗ、第２のＰＤＣＰ  ＰＤＵバッファ６２０ｗ及びＷＬＡＮ入力バッファ６３０のうち、少なくともいずれか１つにおける未送信データ量であってもよいし、第２のＲＬＣ  ＰＤＵバッファ６１０ｗ及び第２のＰＤＣＰ  ＰＤＵバッファ６２０ｗの合計値であってもよい。
【０２３３】
なお、第３のバッファ形態では、ｅＮＢ２００は、ＲＬＣ層又はＰＤＣＰ層において、セルラ通信によりＵＥ１００から送信されたデータユニットと、ＷＬＡＮ通信によりＵＥ１００から送信されたデータユニットとを結合する。
【０２３４】
なお、セルラ・ＷＬＡＮアグリゲーション用のデータベアラがＲＬＣ層において分割されている場合、ＵＥ１００は、第１のＲＬＣ  ＰＤＵバッファ６１０ｃと、第２のＲＬＣ  ＰＤＵバッファ６１０ｗと、通常のＲＬＣ  ＰＤＵバッファを有し、第１のＰＤＣＰ  ＰＤＵバッファ６２０ｃと、第２のＰＤＣＰ  ＰＤＵバッファ６２０ｗとを有さなくてもよい。また、セルラ・ＷＬＡＮアグリゲーション用のデータベアラがＰＤＣＰ層において分割されている場合、ＵＥ１００は、第１のＰＤＣＰ  ＰＤＵバッファ６２０ｃと、第２のＰＤＣＰ  ＰＤＵバッファ６２０ｗと、通常のＰＤＣＰ  ＰＤＵバッファを有し、第１のＲＬＣ  ＰＤＵバッファ６１０ｃと、第２のＲＬＣ  ＰＤＵバッファ６１０ｗとを有さなくてもよい。
【０２３５】
［第６実施形態の変更例２］
次に、第６実施形態の変更例２について説明する。第６実施形態の変更例２では、ＵＥ１００が上り送信比率を決定する一例を説明する。
【０２３６】
ＵＥ１００は、セルラ・ＷＬＡＮアグリゲーションを実行中に、セルラ通信の下りリンクにおいて受信に成功したデータユニットの数とＷＬＡＮ通信の下りリンクにおいて受信に成功したデータユニットの数とに基づいて、セルラ通信の上りリンクにおける送信データ量とＷＬＡＮ通信の上りリンクにおける送信データ量との比率を決定できる。なお、受信に成功したデータユニットとは、ＵＥ１００において正しくデコードされたデータユニットである。
【０２３７】
例えば、ｅＮＢ２００が、下り送信比率を、７０（セルラ通信）対３０（ＷＬＡＮ通信）に設定し、ｅＮＢ２００及びＡＰ３００がセルラ・ＷＬＡＮアグリゲーションによりＵＥ１００にデータを送信したと仮定する。一方、ＵＥ１００は、セルラ通信において受信に成功したデータユニットの数（セルラデータユニット数）が３０であり、ＷＬＡＮ通信において受信に成功したデータユニットの数（ＷＬＡＮデータユニット数）が３０であったと仮定する。ＵＥ１００は、受信したデータユニットの数（セルラデータユニット数及びＷＬＡＮデータユニット数）に基づいて、上り送信比率を５０（３０）対５０（３０）に決定する。その後、ＵＥ１００は、決定した上り送信比率に応じてデータを送信する。
【０２３８】
なお、受信に成功したデータユニットの数は、単位時間当たりに受信に成功したデータユニットの数であってもよい。ｅＮＢ２００は、この単位時間（例えば３０ｓ）の情報をＵＥ１００に通知し、ＵＥ１００は、単位時間当たりに受信に成功したデータユニットの数をカウントする。例えば、ＵＥ１００は、過去３０ｓの間に受信に成功したデータユニットの数をカウントする。また、上り送信比率は、所定期間において受信したデータユニットの数の平均値（例えば、移動平均）に基づいて、決定されてもよい。ｅＮＢ２００は、この平均値に基づいて上り送信比率を決定するための情報をＵＥ１００に通知してもよい。
【０２３９】
或いは、ＵＥ１００は、「（ＷＬＡＮ通信の受信データ割合）＋α（係数）＞（前回のＷＬＡＮ通信の上り送信データ割合）」を満たす場合に、次回のＷＬＡＮ通信の上り送信データ割合が前回のＷＬＡＮ通信の上り送信データ割合よりも大きくなるように、上り送信比率を決定し、上記式を満たさない場合に、次回のＷＬＡＮ通信の上り送信データ割合が前回のＷＬＡＮ通信の上り送信データ割合よりも小さくなるように、上り送信比率を決定してもよい。なお、ｅＮＢ２００は、α（係数）を示す情報をＵＥ１００に通知してもよい。
【０２４０】
なお、ＷＬＡＮ通信の受信データ割合  ＝  （ＷＬＡＮデータユニット数）／（セルラデータユニット数＋ＷＬＡＮデータユニット数）である。ＷＬＡＮ通信の上り送信データ割合  ＝  （ＷＬＡＮ通信による上り送信データ量）／（セルラ通信による上り送信データ量＋ＷＬＡＮ通信による上り送信データ量）である。
【０２４１】
ＵＥ１００は、ｅＮＢ２００が決定した（下り）送信比率を考慮できると共に、無線状況を考慮できるため、効率的に上り送信比率を決定できる。さらに、ｅＮＢ２００からの上り送信比率に関する制御情報が不要となるため、シグナリングを低減できる。
【０２４２】
また、ｅＮＢ２００は、セルラ通信によって受信に成功したＵＥ１００からのデータユニットの数と（セルラデータユニット数）ＷＬＡＮ通信によって受信に成功したＵＥ１００からのデータユニットの数（ＷＬＡＮデータユニット数）とに基づいて、セルラ通信によるＵＥ１００への送信データ量とＷＬＡＮ通信によるＵＥ１００への送信データ量との下り送信比率を決定してもよい。ｅＮＢ２００は、例えば、セルラ通信によって受信に成功したデータユニットの数が３０であり、ＷＬＡＮ通信によってＡＰ３００を経由して受信に成功したデータユニットの数が３０である場合、下り送信比率を５０（３０）対５０（３０）に決定する。
【０２４３】
或いは、ｅＮＢ２００は、「（ＷＬＡＮ通信の受信データ割合）＋α（係数）＞（前回のＷＬＡＮ通信の下り送信データ割合）」を満たす場合に、次回のＷＬＡＮ通信の下り送信データ割合が前回のＷＬＡＮ通信の下り送信データ割合よりも大きくなるように、下り送信比率を決定し、上記式を満たさない場合に、次回のＷＬＡＮ通信の下り送信データ割合が前回のＷＬＡＮ通信の下り送信データ割合よりも小さくなるように、下り送信比率を決定してもよい。
【０２４４】
なお、「ＷＬＡＮ通信の受信データ割合  ＝  （ＷＬＡＮデータユニット数）／（セルラデータユニット数＋ＷＬＡＮデータユニット数）」である。「ＷＬＡＮ通信の下り送信データ割合  ＝  （ＷＬＡＮ通信による下り送信データ量）／（セルラ通信による下り送信データ量＋ＷＬＡＮ通信による下り送信データ量）」である。
【０２４５】
ｅＮＢ２００は、無線状況を考慮して、効率的に上り送信比率を決定できる。
【０２４６】
なお、ｅＮＢ２００は、上述した第６実施形態と同様に、第１モードと第２モード（セルラデータユニット数とＷＬＡＮデータユニット数とに基づいて、上り送信比率を自律的に設定（決定）するモード）との切り替えに関する制御情報をＵＥ１００に送信してもよい。
【０２４７】
［第７実施形態］
次に、第７実施形態について説明する。第７実施形態に係るシステム構成、ＵＥ主導型の切り替え制御の基本動作、セルラ・ＷＬＡＮアグリゲーションの基本動作、及び動作環境は、第１実施形態と同様である。
【０２４８】
以下において、第７実施形態に係る動作について、第１実施形態乃至第６実施形態に係る動作との相違点を主として説明する。
【０２４９】
第７実施形態は、ＷＬＡＮ通信を選択しているＵＥ１００がセルラ・ＷＬＡＮアグリゲーションを開始するための方法に関する。ＷＬＡＮ通信を選択しているＵＥ１００がセルラ・ＷＬＡＮアグリゲーションを開始するために、ＵＥ１００は、セルラ通信の接続をｅＮＢ２００と確立する必要がある。セルラ・ＷＬＡＮアグリゲーションをサポートするノードのＷＬＡＮ識別子がＵＥ１００に通知されている場合、ＵＥ１００は、ＷＬＡＮ通信の接続先ノードがセルラ・ＷＬＡＮアグリゲーションをサポートすることを確認した上で、セルラ通信の接続をｅＮＢ２００と確立することが好ましい。
【０２５０】
或いは、ＵＥ１００は、ＷＬＡＮ通信におけるＱｏＳが満たされないことを検知した場合にセルラ・ＷＬＡＮアグリゲーションを開始してもよい。セルラ・ＷＬＡＮアグリゲーションをサポートするノードのＷＬＡＮ識別子がＵＥ１００に通知されている場合、ＵＥ１００は、ＷＬＡＮ通信の接続先ノードがセルラ・ＷＬＡＮアグリゲーションをサポートすることを確認した上で、セルラ・ＷＬＡＮアグリゲーションを開始する処理を行うことが好ましい。
【０２５１】
図２１は、第７実施形態に係る動作を示す図である。ここでは、ＵＥ１００がＷＬＡＮ通信におけるＱｏＳが満たされないことを検知した場合を想定する。
【０２５２】
図２１に示すように、ステップＳ７０１において、ＵＥ１００は、ＷＬＡＮ通信におけるＱｏＳが満たされないことを示す通知を、セルラ通信によりＥ−ＵＴＲＡＮ１０（ｅＮＢ２００）に送信する。
【０２５３】
ステップＳ７０２において、Ｅ−ＵＴＲＡＮ１０は、ＵＥ１００からの通知に応じて、セルラ・ＷＬＡＮアグリゲーションを開始するための設定情報をＵＥ１００に送信する。
【０２５４】
ステップＳ７０３において、ＵＥ１００は、Ｅ−ＵＴＲＡＮ１０からの設定情報に基づいてセルラ・ＷＬＡＮアグリゲーションを開始する。
【０２５５】
［第８実施形態］
次に、第８実施形態について説明する。第８実施形態に係るシステム構成、ＵＥ主導型の切り替え制御の基本動作、セルラ・ＷＬＡＮアグリゲーションの基本動作、及び動作環境は、第１実施形態と同様である。
【０２５６】
以下において、第８実施形態に係る動作について、第１実施形態乃至第７実施形態に係る動作との相違点を主として説明する。
【０２５７】
第８実施形態は、セルラ・ＷＬＡＮアグリゲーションを許容する条件に関する。具体的には、ＵＥ主導型の切り替え制御における判定条件を流用して、セルラ・ＷＬＡＮアグリゲーションの開始を許容する条件を定義する。
【０２５８】
第８実施形態では、ＵＥ１００は、セルラ通信からＷＬＡＮ通信に切り替えるための第２の判定条件、及びＷＬＡＮ通信からセルラ通信に切り替えるための第３の判定条件の両方が満たされた場合、セルラ・ＷＬＡＮアグリゲーションを有効とする。上述したように、第２の判定条件は、ＷＬＡＮに関する判定条件（すなわち、ＷＬＡＮ側判定条件）である。第３の判定条件は、セルラに関する判定条件（すなわち、セルラ側判定条件）である。
【０２５９】
これにより、ＵＥ１００は、ＷＬＡＮ通信及びセルラ通信の両方を良好な状態で行うことができることを把握した上で、セルラ・ＷＬＡＮアグリゲーションを開始できる。
【０２６０】
図２２は、第８実施形態に係るＵＥ１００の動作を示す図である。
【０２６１】
図２２に示すように、ステップＳ８０１において、ＵＥ１００は、セルラ通信からＷＬＡＮ通信に切り替えるための第２の判定条件（ＷＬＡＮ側判定条件）及びＷＬＡＮ通信からセルラ通信に切り替えるための第３の判定条件（セルラ側判定条件）の両方が満たされたか否かを確認する。
【０２６２】
第２の判定条件及び第３の判定条件の少なくとも一方が満たされない場合、ステップＳ８０２において、ＵＥ１００は、セルラ・ＷＬＡＮアグリゲーションを無効化する。
【０２６３】
一方、第２の判定条件及び第３の判定条件の両方が満たされた場合、ステップＳ８０３において、ＵＥ１００は、セルラ・ＷＬＡＮアグリゲーションを有効化する。
【０２６４】
ステップＳ８０１は、第２の判定条件（ＷＬＡＮ側判定条件）を構成する複数の条件の一部と、第３の判定条件（セルラ側判定条件）を構成する複数の条件の一部と、が満たされたか否かを確認するものであってもよい。例えば、第２の判定条件のうち、「ChannelUtilizationWLAN  <  ThreshChUtilWLAN,  Low」、「BackhaulRateDlWLAN  >  ThreshBackhRateDLWLAN,  High」、「BackhaulRateUlWLAN  >  ThreshBackhRateULWLAN,  High」、「BeaconRSSI  >  ThreshBeaconRSSIWLAN,  High」、のうちの１つ乃至４つが満たされたか否か、及び、第３の判定条件のうち、「RSRPmeas  >  ThreshServingOffloadWLAN,  HighP」、「RSRQmeas  >  ThreshServingOffloadWLAN,  HighQ」のうち１つが満たされたか否かを確認するものであってもよい。
【０２６５】
また、第２の判定条件（ＷＬＡＮ側判定条件）及び第３の判定条件（セルラ側判定条件）で使用される閾値は、ＵＥ主導型の切り替え制御の場合と、セルラ・ＷＬＡＮアグリゲーションの判定（ステップＳ８０１）の場合とで、異なる値を使用してもよい。セルラ・ＷＬＡＮアグリゲーションの判定（ステップＳ８０１）専用の閾値を使用することにより、セルラ・ＷＬＡＮアグリゲーションが有効又は無効になる確率を制御できる。
【０２６６】
［第９実施形態］
次に、第９実施形態について説明する。第９実施形態に係るシステム構成、ＵＥ主導型の切り替え制御の基本動作、セルラ・ＷＬＡＮアグリゲーションの基本動作、及び動作環境は、第１実施形態と同様である。
【０２６７】
以下において、第９実施形態に係る動作について、第１実施形態乃至第８実施形態に係る動作との相違点を主として説明する。
【０２６８】
第９実施形態は、セルラ・ＷＬＡＮアグリゲーションを実行中にＷＬＡＮ通信において不具合が生じた場合の取り扱いに関する。
【０２６９】
第９実施形態では、ＵＥ１００は、セルラ・ＷＬＡＮアグリゲーションを実行中に、ＷＬＡＮ通信からセルラ通信に切り替えるための所定の判定条件が満たされた場合、ＷＬＡＮ通信における無線リンク障害（ＲＬＦ）が発生したと判断する。所定の判定条件は、上述した第４の判定条件（すなわち、ＷＬＡＮ側判定条件）である。これにより、ＵＥ１００は、ＷＬＡＮ通信を適切に中止できる。但し、ＵＥ１００は、ＷＬＡＮ通信を中止しつつ、セルラ通信を継続してもよい。
【０２７０】
ＵＥ１００は、ＷＬＡＮ通信における無線リンク障害が発生したと判断した場合、当該無線リンク障害に関する無線リンク障害報告（ＲＬＦ報告）をセルラ通信によりｅＮＢ２００に送信してもよい。これにより、ｅＮＢ２００は、ＷＬＡＮ通信における不具合の状況無線リンク障害を把握できる。
【０２７１】
また、ＵＥ１００は、ＷＬＡＮ通信における無線リンク障害が発生したと判断した場合、ＰＤＣＰ層におけるデータ送信状態を示すＰＤＣＰ状態報告をセルラ通信によりｅＮＢ２００に送信してもよい。
【０２７２】
図２３は、第９実施形態に係るＵＥ１００の動作を示す図である。
【０２７３】
図２３に示すように、ステップＳ９０１において、ＵＥ１００は、セルラ・ＷＬＡＮアグリゲーションを開始する。
【０２７４】
ステップＳ９０２において、ＵＥ１００は、ＷＬＡＮ通信からセルラ通信に切り替えるための第４の判定条件（ＷＬＡＮ側判定条件）が満たされたか否かを確認する。
【０２７５】
第４の判定条件（ＷＬＡＮ側判定条件）が満たされた場合、ステップＳ９０３において、ＵＥ１００は、ＷＬＡＮ通信における無線リンク障害が発生したと判断する。
【０２７６】
［第９実施形態の変更例１］
次に、第９実施形態の変更例１について、説明する。本変更例では、ＵＥ１００が、ＷＬＡＮ通信における無線リンク障害（以下、Ｗ−ＲＬＦ）が発生したと判断する他のケースについて説明する。
【０２７７】
第１に、ＵＥ１００は、ＷＬＡＮ通信におけるＷＬＡＮ周波数帯の干渉状況に基づいて、Ｗ−ＲＬＦが発生したと判断できる。
【０２７８】
まず、ＵＥ１００は、ＷＬＡＮ通信におけるＷＬＡＮ周波数帯の干渉状況を測定するキャリアセンスを行う。ＵＥ１００は、キャリアセンスを行った結果、ＷＬＡＮ周波数帯における干渉電力量が所定値以上である場合に、タイマを起動する。ＵＥ１００は、（キャリアセンスを続けて、）タイマが満了するまで干渉電力量が所定値以上である場合、Ｗ−ＲＬＦが発生したと判断する。なお、ＵＥ１００は、タイマが満了する前に干渉電力量が所定値未満になった場合、Ｗ−ＲＬＦが発生していないと判断し、タイマをリセットする。なお、ｅＮＢ２００は、当該所定値を設定するための設定情報をＵＥ１００に送信してもよい。
【０２７９】
或いは、ＵＥ１００は、キャリアセンスを行って、ＷＬＡＮ周波数帯における干渉電力量が所定値以上である毎に、カウンタを１つ増加させる。ＵＥ１００は、カウンタが閾値に達した場合に、Ｗ−ＲＬＦが発生したと判断する。なお、ＵＥ１００は、カウンタが閾値に達する前に干渉電力量が所定値未満になった場合、Ｗ−ＲＬＦが発生していないと判断し、カウンタをリセットする。なお、ｅＮＢ２００は、当該閾値を設定するための設定情報をＵＥ１００に送信してもよい。
【０２８０】
第２に、ＵＥ１００は、セルラ・ＷＬＡＮアグリゲーションにおけるＷＬＡＮ通信における送受信の失敗に基づいて、Ｗ−ＲＬＦが発生した判断できる。
【０２８１】
まず、ＵＥ１００は、データの受信（又は送信）が失敗した場合に、タイマを起動する。ＵＥ１００は、当該タイマが満了するまで、データの受信（又は送信）が失敗した場合、Ｗ−ＲＬＦが発生したと判断する。なお、ＵＥ１００は、タイマが満了する前にデータの受信（又は送信）が成功した場合、Ｗ−ＲＬＦが発生していないと判断し、タイマをリセットする。なお、ｅＮＢ２００は、当該タイマの値を設定するための設定情報をＵＥ１００に送信してもよい。
【０２８２】
或いは、ＵＥ１００は、データの受信（又は送信）が失敗した場合に、カウンタを１つ増加させる。ＵＥ１００は、カウンタが閾値に達した場合に、Ｗ−ＲＬＦが発生したと判断する。なお、ＵＥ１００は、カウンタが閾値に達する前にデータの受信（又は送信）が成功した場合、Ｗ−ＲＬＦが発生していないと判断し、カウンタをリセットする。なお、ｅＮＢ２００は、当該閾値を設定するための設定情報をＵＥ１００に送信してもよい。
【０２８３】
第３に、ＵＥ１００は、セルラ・ＷＬＡＮアグリゲーションにおけるＷＬＡＮ通信を行っているＡＰ３００（又はセルラ・ＷＬＡＮ一体型のｅＮＢ２００）からの無線信号の受信強度（希望波電力値：例えば、Ｂｅａｃｏｎ  ＲＳＳＩ（受信信号強度インジケータ）、ＲＣＰＩ（受信チャネル電力強度インジケータ）、ＲＳＮＩ（受信信号対雑音インジケータ）など）が閾値を下回った場合に、タイマを起動する。ＵＥ１００は、当該タイマが満了するまで、無線信号の受信強度が閾値を下回ったままである場合、Ｗ−ＲＬＦが発生したと判断する。なお、ＵＥ１００は、タイマが満了する前に無線信号の受信強度が閾値を上回った場合、Ｗ−ＲＬＦが発生していないと判断し、タイマをリセットする。なお、ｅＮＢ２００は、当該閾値を設定するための設定情報をＵＥ１００に送信してもよい。
【０２８４】
或いは、ＵＥ１００は、セルラ・ＷＬＡＮアグリゲーションにおけるＷＬＡＮ通信を行っているＡＰ３００（又はセルラ・ＷＬＡＮ一体型のｅＮＢ２００）からの無線信号の受信強度（Ｂｅａｃｏｎ  ＲＳＳＩ）が閾値を下回った場合に、カウンタを１つ増加させる。ＵＥ１００は、カウンタが閾値に達した場合に、Ｗ−ＲＬＦが発生したと判断する。なお、ＵＥ１００は、カウンタが閾値に達する前に無線信号の受信強度（Ｂｅａｃｏｎ  ＲＳＳＩ）が閾値を上回った場合、Ｗ−ＲＬＦが発生していないと判断し、カウンタをリセットする。なお、ｅＮＢ２００は、当該閾値を設定するための設定情報をＵＥ１００に送信してもよい。
【０２８５】
第４に、ＵＥ１００は、セルラ・ＷＬＡＮアグリゲーションにおけるＷＬＡＮ通信を行っているＡＰ３００との接続が断絶した場合、Ｗ−ＲＬＦが発生したと判断する。ＵＥ１００は、ＡＰ３００との接続を再度行った場合、Ｗ−ＲＬＦが回復したと判断する。
【０２８６】
第５に、ＵＥ１００は、セルラ・ＷＬＡＮアグリゲーションにおけるＷＬＡＮ通信を行っているＡＰ３００のバックホールレートが閾値を下回った場合に、タイマを起動する。ＵＥ１００は、当該タイマが満了するまで、バックホールレートが閾値を下回った場合、Ｗ−ＲＬＦが発生したと判断する。なお、ＵＥ１００は、タイマが満了する前にバックホールレートが閾値以上になった場合、Ｗ−ＲＬＦが発生していないと判断し、タイマをリセットする。なお、ｅＮＢ２００は、当該タイマの値を設定するための設定情報をＵＥ１００に送信してもよい。
【０２８７】
或いは、ＵＥ１００は、バックホールレートが閾値を下回った場合に、カウンタを１つ増加させる。ＵＥ１００は、カウンタが閾値に達した場合に、Ｗ−ＲＬＦが発生したと判断する。なお、ＵＥ１００は、カウンタが閾値に達する前にバックホールレートが閾値以上になった場合、Ｗ−ＲＬＦが発生していないと判断し、カウンタをリセットする。なお、ｅＮＢ２００は、当該閾値を設定するための設定情報をＵＥ１００に送信してもよい。
【０２８８】
ＵＥ１００は、Ｗ−ＲＬＦが発生したと判断した場合、Ｗ−ＲＬＦに関する無線リンク障害報告（以下、Ｗ−ＲＬＦ報告）をＲＲＣメッセージによってｅＮＢ２００に送信する。Ｗ−ＲＬＦ報告は、Ｗ−ＲＬＦが発生したと判断された理由及びＵＥ１００が測定したＷＬＡＮ通信に関する最新の測定結果（例えば、キャリアセンス結果、Ｂｅａｃｏｎ  ＲＳＳＩの測定結果、ＲＣＰＩの測定結果、ＲＳＮＩの測定結果など）の少なくともいずれかの情報を含んでもよい。なお、Ｗ−ＲＬＦが発生したと判断された理由は、例えば、Ｗ−ＲＬＦ報告は、ＷＬＡＮ通信におけるＷＬＡＮ周波数帯の干渉状況、ＷＬＡＮ通信における送受信の失敗、ＷＬＡＮ通信を行っているＡＰ３００からの無線信号の受信強度、及び、ＡＰ３００との接続の断絶、の少なくともいずれか一つである。
【０２８９】
ｅＮＢ２００は、セルラ・ＷＬＡＮアグリゲーションを制御（実行）中に、Ｗ−ＲＬＦ報告をＵＥ１００から受信する。例えば、ｅＮＢ２００は、Ｗ−ＲＬＦ報告に基づいて、セルラ・ＷＬＡＮアグリゲーションにおけるＷＬＡＮ通信用のデータベアラを解放するための情報（ＷＬＡＮ  Ｒｅｌｅａｓｅ  Ｒｅｑｕｅｓｔ）、又は、セルラ・ＷＬＡＮアグリゲーションにおけるＷＬＡＮ通信用のデータベアラを別のデータベアラに変更するための情報（ＷＬＡＮ  Ｍｏｄｉｆｉｃａｔｉｏｎ  Ｒｅｑｕｅｓｔ）、をセルラ・ＷＬＡＮアグリゲーションを実行中のＡＰ３００に送信する。ＷＬＡＮ  Ｒｅｌｅａｓｅ  Ｒｅｑｕｅｓｔを受信したＡＰ３００は、セルラ・ＷＬＡＮアグリゲーションにおけるＷＬＡＮ通信用のデータベアラを解放する。一方、ＷＬＡＮ  Ｍｏｄｉｆｉｃａｔｉｏｎ  Ｒｅｑｕｅｓｔを受信したＡＰ３００は、セルラ・ＷＬＡＮアグリゲーションにおけるＷＬＡＮ通信用のデータベアラを別のデータベアラに変更するための制御を開始する。例えば、ＡＰ３００は、ＷＬＡＮ周波数帯１においてセルラ・ＷＬＡＮアグリゲーションを実行していた場合、キャリアセンスを行って、干渉電力量が閾値未満であるＷＬＡＮ周波数帯２においてセルラ・ＷＬＡＮアグリゲーションを実行するための制御を開始する。
【０２９０】
ｅＮＢ２００は、セルラ・ＷＬＡＮアグリゲーションにおけるＷＬＡＮ通信用のデータベアラの変更（又は解放）が行われた場合、データベアラの変更（又は解放）をＵＥ１００に通知するためのＲＲＣ  Ｃｏｎｎｅｃｔｉｏｎ  ＲｅｃｏｎｆｉｇｕｒａｔｉｏｎメッセージをＵＥ１００に送信する。
【０２９１】
また、ｅＮＢ２００は、セルラ・ＷＬＡＮアグリゲーションを実行中のＡＰ３００にＷ−ＲＬＦ報告を送信してもよい。ＡＰ３００は、Ｗ−ＲＬＦ報告に基づいて、セルラ・ＷＬＡＮアグリゲーションにおけるＷＬＡＮ通信を（一時的に）停止できる。ＡＰ３００は、キャリアセンスを行って、干渉電力量が閾値未満になった場合に、セルラ・ＷＬＡＮアグリゲーションにおけるＷＬＡＮ通信を再開できる。なお、ＡＰ３００は、Ｗ−ＲＬＦ報告に基づいて、ＡＰ３００が決定できるパラメータ（例えば、Ｗ−ＲＬＦを検知するためのタイマ、Ｗ−ＲＬＦを検知するための閾値など）を設定（調整）することができる。
【０２９２】
ここで、ｅＮＢ２００は、セルラ・ＷＬＡＮアグリゲーションにおいてＷＬＡＮ通信によりＵＥ１００に送信予定の下りデータを、例えば、直接的な通信路を介してＡＰ３００に送信している。ＡＰ３００は、Ｗ−ＲＬＦが発生する前において、ｅＮＢ２００から受信したＵＥ１００に送信予定の下りデータをＵＥ１００に送信する。一方、Ｗ−ＲＬＦが発生している場合、ＡＰ３００が当該下りデータをＵＥ１００に送信しても、ＵＥ１００は当該下りデータを受信できない可能性が高い。
【０２９３】
そこで、ＡＰ３００は、Ｗ−ＲＬＦが発生している場合、ＵＥ１００に未送信の下りデータをｅＮＢ２００に送信してもよい。ＡＰ３００は、セルラ・ＷＬＡＮアグリゲーションにおけるＷＬＡＮ通信用のデータベアラを解放する場合に、ＵＥ１００に未送信の下りデータをｅＮＢ２００に送信（転送）してもよい。或いは、ｅＮＢ２００は、ＡＰ３００に送信済みの下りデータを既に削除（フラッシュ）している（削除済みの）場合（ＡＰ３００に送信済みの下りデータを記憶していない場合）に、ＵＥ１００に未送信の下りデータの送信要求をＡＰ３００に送信する制御を行ってもよい。ｅＮＢ２００は、例えば、ＷＬＡＮ  Ｒｅｌｅａｓｅ  Ｒｅｑｕｅｓｔ、ＷＬＡＮ  Ｍｏｄｉｆｉｃａｔｉｏｎ  Ｒｅｑｕｅｓｔなどに下りデータの送信要求を含めてもよい。或いは、ｅＮＢ２００は、セルラ・ＷＬＡＮアグリゲーションの対象となるＵＥ１００の情報の解放を要求するＵＥ  Ｃｏｎｔｅｘｔ  Ｒｅｌｅａｓｅに下りデータの送信要求を含めてもよい。ＡＰ３００は、下りデータの送信要求を受信した場合に、未送信の下りデータをｅＮＢ２００に送信（転送）してもよい。ｅＮＢ２００は、ＡＰ３００から受信した未送信の下りデータをＵＥ１００に送信する。
【０２９４】
なお、ＵＥ１００は、Ｗ−ＲＬＦが発生したと判断した場合、受信（又は送信）できていないデータ（或いは、受信（又は送信）できているデータ）をｅＮＢ２００に知らせるための制御情報（Ｃｏｎｔｒｏｌ  ＰＤＵ、例えば、ＰＤＣＰ／ＲＬＣ  Ｓｔａｔｕｓ  ＰＤＵ）をｅＮＢ２００に送信してもよい。ｅＮＢ２００は、当該制御情報に基づいて、該当するデータをＵＥ１００に送信（又は受信）する制御を行う。
【０２９５】
また、ＵＥ１００は、Ｗ−ＲＬＦが解消した（Ｗ−ＲＬＦが所定期間発生していない）と判断した場合、ＷＬＡＮ通信における無線リンク障害が解消したことを示す無線リンク障害解消報告（以下、Ｗ−ＲＬＲ（ＷＬＡＮ  Ｒａｄｉｏ  Ｌｉｎｋ  Ｒｅｃｏｖｅｒｅｄ）報告）をｅＮＢ２００に送信してもよい。例えば、ＵＥ１００は、上述のＷ−ＲＬＦの判断基準に基づいて、Ｗ−ＲＬＦが所定期間発生していないと判断した場合に、Ｗ−ＲＬＲ報告をｅＮＢ２００に送信することができる。ｅＮＢ２００は、Ｗ−ＲＬＲ報告を受信した場合、ＷＬＡＮ通信における無線リンク状況を把握することができる。その結果、ｅＮＢ２００は、セルラ・ＷＬＡＮ通信アグリゲーションにおける上り送信比率・下り送信比率を適切に決定したり、セルラ・ＷＬＡＮ通信アグリゲーションに関する設定の制御を適切に行うことができるため、セルラ・ＷＬＡＮ通信アグリゲーションを効率よく制御することができる。
【０２９６】
［第９実施形態の変更例２］
次に、第９実施形態の変更例２について説明する。第９実施形態の変更例１では、セルラ・ＷＬＡＮアグリゲーションを実行中のＡＰ３００が、Ｗ−ＲＬＦが発生したと判断するケースについて説明する。ＵＥ１００と同様の部分は、説明を適宜省略する。
【０２９７】
ＡＰ３００は、Ｗ−ＲＬＦが発生したと判断した場合、Ｗ−ＲＬＦ報告を、例えば、直接的な通信路を用いてｅＮＢ２００に送信する。ＡＰ３００は、上述したＵＥ１００と同様に、Ｗ−ＲＬＦが発生したと判断できる。Ｗ−ＲＬＦ報告は、Ｗ−ＲＬＦが発生したと判断された理由及びＡＰ３００が測定したＷＬＡＮ通信に関する最新の測定結果（例えば、キャリアセンス結果、ＵＥ１００からの参照信号の受信強度など）の少なくともいずれかの情報を含んでもよい。
【０２９８】
Ｗ−ＲＬＦ報告を受信したｅＮＢ２００は、Ｗ−ＲＬＦ報告に対する応答として、ＷＬＡＮ  Ｒｅｌｅａｓｅ  Ｒｅｑｕｅｓｔ又はＷＬＡＮ  Ｍｏｄｉｆｉｃａｔｉｏｎ  ＲｅｑｕｅｓｔをＡＰ３００に送信してもよい。また、Ｗ−ＲＬＦ報告を受信したｅＮＢ２００は、ＵＥ１００に未送信の下りデータの送信要求を含むＷ−ＲＬＦ報告に対する応答をＡＰ３００に送信してもよい。
【０２９９】
また、ＡＰ３００は、Ｗ−ＲＬＦが発生したと判断した場合、セルラ・ＷＬＡＮアグリゲーションにおけるＷＬＡＮ通信用のデータベアラを解放するための要求（ＷＬＡＮ  Ｒｅｌｅａｓｅ  Ｒｅｑｕｉｒｅｄ）、又は、セルラ・ＷＬＡＮアグリゲーションにおけるＷＬＡＮ通信用のデータベアラを別のデータベアラに変更するための要求（ＷＬＡＮ  Ｍｏｄｉｆｉｃａｔｉｏｎ  Ｒｅｑｕｉｒｅｄ）を、例えば、直接的な通信路を用いてｅＮＢ２００に送信してもよい。この場合、ＡＰ３００は、Ｗ−ＲＬＦ報告の送信を省略してもよい。
【０３００】
ｅＮＢ２００は、ＷＬＡＮ  Ｒｅｌｅａｓｅ  Ｒｅｑｕｉｒｅｄに基づいて、ＷＬＡＮ  Ｒｅｌｅａｓｅ  ＲｅｑｕｅｓｔをＡＰ３００に送信してもよい。また、ｅＮＢ２００は、ＷＬＡＮ  Ｍｏｄｉｆｉｃａｔｉｏｎ  Ｒｅｑｕｉｒｅｄに基づいて、ＷＬＡＮ  Ｍｏｄｉｆｉｃａｔｉｏｎ  ＲｅｑｕｅｓｔをＡＰ３００に送信してもよい。
【０３０１】
なお、ＡＰ３００は、上述したＵＥ１００と同様に、Ｗ−ＲＬＦが所定期間発生していない判断した場合、Ｗ−ＲＬＲ報告をｅＮＢ２００に送信してもよい。
【０３０２】
［第１０実施形態］
次に、第１０実施形態について説明する。第１０実施形態に係るシステム構成、ＵＥ主導型の切り替え制御の基本動作、セルラ・ＷＬＡＮアグリゲーションの基本動作、及び動作環境は、第１実施形態と同様である。
【０３０３】
以下において、第１０実施形態に係る動作について、第１実施形態乃至第９実施形態に係る動作との相違点を主として説明する。
【０３０４】
第１０実施形態は、ＵＥ１００のユーザの契約状況の観点から、セルラ・ＷＬＡＮアグリゲーションを許容する条件に関する。セルラ・ＷＬＡＮアグリゲーションは、スループット増大を図ることができるものの、ネットワーク側負荷は大きくなる。よって、契約者クラス（ＧｏＳ：Ｇｒａｄｅ  ｏｆ  Ｓｅｒｖｉｃｅ）に応じて、セルラ・ＷＬＡＮアグリゲーションが許容されるＵＥ１００を限定することが好ましい。
【０３０５】
第１０実施形態では、セルラネットワーク（ｅＮＢ２００又はＡＮＤＳＦサーバ）は、セルラ・ＷＬＡＮアグリゲーションが許容又は禁止される契約者クラスを示す契約者クラス情報をＵＥ１００に送信する。例えば、４種類の契約者クラスが規定されている場合、セルラネットワークは、２ビットの情報を契約者クラス情報として送信する。当該情報は、「００」、「０１」、「１０」、「１１」の４パターンである。「００」は最も低い契約者クラスであり、「１１」は最も高い契約者クラスである。
【０３０６】
ＵＥ１００は、セルラネットワークから受信した契約者クラス情報と自ＵＥ１００の契約者クラスとに基づいて、セルラ・ＷＬＡＮアグリゲーションが許容されるか否かを判断する。例えば、自ＵＥ１００の契約者クラスが「１１」であり、セルラ・ＷＬＡＮアグリゲーションが許容される契約者クラスとして「１１」が指定された場合、ＵＥ１００は、セルラ・ＷＬＡＮアグリゲーションが許容されると判断する。
【０３０７】
図２４は、第１０実施形態に係るＵＥ１００の動作を示す図である。
【０３０８】
図２４に示すように、ステップＳ１００１において、ＵＥ１００は、セルラネットワークから契約者クラス情報を受信する。
【０３０９】
ステップＳ１００２において、ＵＥ１００は、契約者クラス情報と自ＵＥ１００の契約者クラスとに基づいて、セルラ・ＷＬＡＮアグリゲーションが許容されるか否かを判断する。
【０３１０】
セルラ・ＷＬＡＮアグリゲーションが禁止されると判断した場合、ステップＳ１００３において、ＵＥ１００は、セルラ・ＷＬＡＮアグリゲーションを無効化する。
【０３１１】
一方、セルラ・ＷＬＡＮアグリゲーションが許容されると判断した場合、ステップＳ１００４において、ＵＥ１００は、セルラ・ＷＬＡＮアグリゲーションを有効化する。
【０３１２】
［第１１実施形態］
次に、第１１実施形態について説明する。第１１実施形態に係るシステム構成、ＵＥ主導型の切り替え制御の基本動作、セルラ・ＷＬＡＮアグリゲーションの基本動作、及び動作環境は、第１実施形態と同様である。
【０３１３】
以下において、第１１実施形態に係る動作について、第１実施形態乃至第１０実施形態に係る動作との相違点を主として説明する。
【０３１４】
第１１実施形態は、ＵＥ主導型の切り替え制御に変更を加えることなく、セルラ・ＷＬＡＮアグリゲーションを可能とするための方法に関する。
【０３１５】
第１１実施形態では、ＵＥ１００は、ＵＥ主導型の切り替え制御を行う。ＵＥ１００は、セルラネットワークから特定のＷＬＡＮ識別子が指定されており、特定のＷＬＡＮ識別子に対応するＷＬＡＮ通信に切り替えた場合、セルラ通信により、切り替え通知をｅＮＢ２００に送信する。特定のＷＬＡＮ識別子は、セルラ・ＷＬＡＮアグリゲーションをサポートするノードに割り当てられているＷＬＡＮ識別子である。特定のＷＬＡＮ識別子の指定方法は、上述した実施形態と同様である。ｅＮＢ２００は、ＵＥ１００からの切り替え通知に応じて、セルラ・ＷＬＡＮアグリゲーションを開始する制御を行う。
【０３１６】
図２１を流用して、第１１実施形態に係る動作を説明する。ここでは、ＵＥ１００が、ＵＥ主導型の切り替え制御により、セルラ通信から、特定のＷＬＡＮ識別子に対応するＷＬＡＮ通信に切り替えた場合を想定する。
【０３１７】
図２１に示すように、ステップＳ７０１において、ＵＥ１００は、特定のＷＬＡＮ識別子に対応するＷＬＡＮ通信に切り替えたことを示す通知を、セルラ通信によりＥ−ＵＴＲＡＮ１０（ｅＮＢ２００）に送信する。
【０３１８】
ステップＳ７０２において、Ｅ−ＵＴＲＡＮ１０は、ＵＥ１００からの通知に応じて、セルラ・ＷＬＡＮアグリゲーションを開始するための設定情報をＵＥ１００に送信する。
【０３１９】
ステップＳ７０３において、ＵＥ１００は、Ｅ−ＵＴＲＡＮ１０からの設定情報に基づいてセルラ・ＷＬＡＮアグリゲーションを開始する。
【０３２０】
［その他の実施形態］
上述した各実施形態では、セルラ・ＷＬＡＮアグリゲーションが同一データベアラに属するトラフィックをセルラ通信及びＷＬＡＮ通信を併用して送受信する技術である一例を説明した。しかしながら、セルラ・ＷＬＡＮアグリゲーションは、異なるデータベアラに属するトラフィックをセルラ通信及びＷＬＡＮ通信を併用して送受信するものであってもよい。例えば、ベアラ１及びベアラ２をセルラ通信（ＬＴＥ通信）で送受信しつつ、ベアラ３及びベアラ４をＷＬＡＮ通信で送受信してもよい。
【０３２１】
上述した各実施形態では、セルラ・ＷＬＡＮアグリゲーションにおいて、同一データベアラに属するトラフィックをＲＬＣ層で分割・再構築する一例を説明した。しかしながら、セルラ・ＷＬＡＮアグリゲーションにおいて、同一データベアラに属するトラフィックをＭＡＣ層で分割・結合してもよい。図２５は、セルラ・ＷＬＡＮアグリゲーションの他の例を示す図である。図２５に示すように、ＬＴＥ  ＭＡＣ層は、ＭＡＣ  ＰＤＵ単位で送受信の経路（ＬＴＥ／ＷＬＡＮ）を変更するための（Ｄｅ）−Ｍｕｌｔｉｐｌｅｘｉｎｇ機能を有する。
【０３２２】
上述した第６実施形態では、同一の（又は異なる）データベアラに属するトラフィックをｅＮＢ２００とＵＥ１００と間のセルラ通信、及び、ＡＰ３００（又はセルラ・ＷＬＡＮ一体型ｅＮＢ２００）とＵＥ１００との間のＷＬＡＮ通信、を併用して送受信するセルラ・ＷＬＡＮアグリゲーションを例に挙げて説明したが、これに限られない。同一の又は異なるデータベアラに属するトラフィックをｅＮＢ２００とＵＥ１００との間のセルラ通信（以下、第１のセルラ通信）、及び、ｅＮＢ２００と直接的なインターフェイス（Ｘ２インターフェイス）を介して接続する他のｅＮＢ（ＳｅＮＢ）２００とＵＥ１００との間のセルラ通信（以下、第２のセルラ通信）、を併用して送受信する二重接続方式（Ｄｕａｌ  Ｃｏｎｎｅｃｔｉｖｉｔｙ）において、第６実施形態及び変更例１、２と同様の動作が実行されてもよい。
【０３２３】
ここで、二重接続方式では、ＵＥ１００は、ｅＮＢ（ＭｅＮＢ）２００とＲＲＣ接続を確立しており、他のｅＮＢ（ＳｅＮＢ）２００とＲＲＣ接続を確立せずに、ユーザデータの送受信のために用いられる無線ベアラ（データベアラ）を確立している。
【０３２４】
ｅＮＢ２００がセルラ・ＷＬＡＮ一体型ｅＮＢ２００でない場合、セルラ・ＷＬＡＮアグリゲーションにおいて用いられるデータベアラと二重接続方式において用いられるデータベアラとは、同一の通信経路である。具体的には、これらのデータベアラは、ｅＮＢ２００において分割するデータベアラであり、分割した一方のデータベアラは、ｅＮＢ２００を介しＡＰ３００（又は他のｅＮＢ２００）を介さないデータベアラであり、分割した他方のデータベアラは、ｅＮＢ２００とＡＰ３００（又は他のｅＮＢ２００）とを介するデータベアラである。
【０３２５】
二重接続方式を実行中のｅＮＢ２００は、ＵＥ１００の未送信データ量を示すバッファ状態報告をＵＥ１００から受信してもよい。ｅＮＢ２００は、バッファ状態報告に基づいて、第１のセルラ通信の上りリンクにおいてＵＥ１００に割り当てる無線リソースと第２のセルラ通信の上りリンクにおいてＵＥ１００に割り当てる無線リソースとの比率を決定してもよい。
【０３２６】
また、二重接続方式を実行中のＵＥ１００は、第１のセルラ通信における未送信データを記憶する第１バッファと、第２のセルラ通信における未送信データを記憶する第２バッファと、を有してもよい。
【０３２７】
また、二重接続方式を実行中のｅＮＢ２００は、二重接続方式を実行中のＵＥ１００に対して、第１のセルラ通信によるＵＥ１００の送信データ量と第２のセルラ通信によるＵＥ１００の送信データ量との比率である上り送信比率を設定する制御情報を送信してもよい。
【０３２８】
また、ｅＮＢ２００は、二重接続方式を実行中のＵＥ１００に対して、第１のセルラ通信によるＵＥ１００の送信データ量と第２のセルラ通信によるＵＥ１００の送信データ量との比率である上り送信比率を設定する制御情報を送信してもよい。
【０３２９】
また、ｅＮＢ２００は、ＵＥ１００が、二重接続方式を実行中である場合に、第１のセルラ通信によって受信に成功したＵＥ１００からのデータユニットの数と第２のセルラ通信によって受信に成功したＵＥ１００からのデータユニットの数とに基づいて、第１のセルラ通信によるＵＥ１００への送信データ量と第２のセルラ通信によるＵＥ１００への送信データ量との比率を決定してもよい。
【０３３０】
上述した第６及び第９実施形態では、ｅＮＢ２００は、ＵＥ１００から受信したＷ−ＲＬＦ報告に基づいて、Ｗ−ＲＬＦの発生を検知していたが、これに限られない。例えば、ｅＮＢ２００は、セルラ・ＷＬＡＮアグリゲーションにおけるＷＬＡＮ通信により受信されるべきデータが所定時間受信できていない場合に、Ｗ−ＲＬＦが発生したと判定してもよい。また、ｅＮＢ２００は、セルラ・ＷＬＡＮアグリゲーションにおけるＷＬＡＮ通信により受信されるべきデータのＡｃｋが所定時間受信できていない場合に、Ｗ−ＲＬＦが発生したと判定してもよい。或いは、ｅＮＢ２００は、セルラ・ＷＬＡＮアグリゲーションにおけるＷＬＡＮ通信により受信されるべきデータのうち、所定間隔のＳＮ（Ｓｅｑｕｅｎｃｅ  Ｎｕｍｂｅｒ）に対応するデータ（例えば、ＳＮ値がｎ〜ｎ＋ｍに対応するデータ）が受信できていない場合に、Ｗ−ＲＬＦが発生したと判定してもよい。また、ｅＮＢ２００は、所定間隔のＳＮに対応するデータのＡｃｋが受信できていない場合に、Ｗ−ＲＬＦが発生したと判定してもよい。このように、ｅＮＢ２００は、自律的にＷ−ＲＬＦが発生したと判定した場合であっても、上述した第６及び第９実施形態の動作を実行できる。
【０３３１】
上述した各実施形態において、ｅＮＢ２００がセルラ・ＷＬＡＮ一体型ｅＮＢ２００でない場合、ＡＰ３００は、セルラ・ＷＬＡＮアグリゲーションを制御するエンティティ（レイヤ／機能部）であるアグリゲーションエンティティ（以下、ＡＧエンティティ）を有していてもよい。ｅＮＢ２００は、ＡＰ３００内のＡＧエンティティと、直接的な通信路を用いて、所定の情報のやり取りを行うことができる。例えば、上述した第９実施形態の変更例１、２において、ｅＮＢ２００は、Ｗ−ＲＬＦ報告、ＷＬＡＮ  Ｒｅｌｅａｓｅ  Ｒｅｑｕｉｒｅｄ、ＷＬＡＮ  Ｍｏｄｉｆｉｃａｔｉｏｎ  ＲｅｑｕｉｒｅｄなどをＡＧエンティティから受信してもよいし、Ｗ−ＲＬＦ報告に対する応答、ＷＬＡＮ  Ｒｅｌｅａｓｅ  Ｒｅｑｕｅｓｔ、ＷＬＡＮ  Ｍｏｄｉｆｉｃａｔｉｏｎ  Ｒｅｑｕｅｓｔ、ＵＥ  Ｃｏｎｔｅｘｔ  Ｒｅｌｅａｓｅ、下りデータの送信要求、などをＡＧエンティティに送信してもよい。
【０３３２】
或いは、（複数の）ＡＰ３００を制御するノード（例えば、ＡＣ：Ａｃｃｅｓｓ  Ｃｏｎｔｒｏｌｅｒ）が、ＡＧエンティティを有していてもよい。ｅＮＢ２００は、ＡＣ内のＡＧエンティティと、直接的な通信路を用いて、所定の情報のやり取りを行うことができる。或いは、ｅＮＢ２００は、ＡＧエンティティを有していてもよい。ｅＮＢ２００は、ＡＧエンティティにセルラ・ＷＬＡＮアグリゲーションを制御させてもよい。
【０３３３】
上述した各実施形態に係る動作は別個独立して行う場合に限らず、２以上の実施形態に係る動作を組み合わせて行ってもよい。
【０３３４】
上述した各実施形態では、セルラ通信システムの一例としてＬＴＥシステムを説明したが、ＬＴＥシステムに限定されるものではなく、ＬＴＥシステム以外のシステムに本出願の内容を適用してもよい。
【０３３５】
なお、日本国特許出願第２０１４−１５０６７５号（２０１４年７月２４日出願）及び日本国特許出願第２０１４−２４０６４５号（２０１４年１１月２７日出願）の全内容が、参照により、本願明細書に組み込まれている。
【産業上の利用可能性】
【０３３６】
以上のように、本実施形態に係るユーザ端末及び基地局によれば、セルラ・ＷＬＡＮアグリゲーションが導入された場合に効率的な制御を実現できるため、移動通信分野において有用である。
【図１】
2016013591.tif 000003
【図２】
2016013591.tif 000004
【図３】
2016013591.tif 000005
【図４】
2016013591.tif 000006
【図５】
2016013591.tif 000007
【図６】
2016013591.tif 000008
【図７】
2016013591.tif 000009
【図８】
2016013591.tif 000010
【図９】
2016013591.tif 000011
【図１０】
2016013591.tif 000012
【図１１】
2016013591.tif 000013
【図１２】
2016013591.tif 000014
【図１３】
2016013591.tif 000015
【図１４】
2016013591.tif 000016
【図１５】
2016013591.tif 000017
【図１６】
2016013591.tif 000018
【図１７】
2016013591.tif 000019
【図１８】
2016013591.tif 000020
【図１９】
2016013591.tif 000021
【図２０】
2016013591.tif 000022
【図２１】
2016013591.tif 000023
【図２２】
2016013591.tif 000024
【図２３】
2016013591.tif 000025
【図２４】
2016013591.tif 000026
【図２５】
2016013591.tif 000027
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
セルラ通信網に設けられる基地局の下位層と第１通信を行う第１通信部と、
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行う第２通信部と、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行う制御部とを備え、
前記制御部は、前記セルラ・ＷＬＡＮアグリゲーションにおいて、前記第２通信を用いずに前記第１通信を用いてアップリンク制御信号の通信を行う、ユーザ端末。
【請求項２】
前記第１通信部は、前記第２通信の無線障害に関する無線リンク障害報告を前記第１通信によって前記基地局に通知する、請求項１に記載のユーザ端末。
【請求項３】
前記無線リンク障害報告は、前記第２通信の無線障害の発生に加えて、前記第２通信の無線障害の理由を含む、請求項２に記載のユーザ端末。
【請求項４】
前記第２通信の無線障害の理由は、前記第２通信における周波数帯の干渉状況、前記第２通信の失敗、前記アクセスポイントから受信する信号の強度、前記アクセスポイントとの接続の断絶の少なくともいずれか１つを含む、請求項２に記載のユーザ端末。
【請求項５】
前記無線リンク障害報告は、前記第２通信の無線障害の発生に加えて、前記第２通信に関する測定結果を含む、請求項２に記載のユーザ端末。
【請求項６】
セルラ通信網に設けられる基地局の下位層と第１通信を行うステップＡと、
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行うステップＢと、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行うステップＣとを備え、
前記ステップＣは、前記セルラ・ＷＬＡＮアグリゲーションにおいて、前記第２通信を用いずに前記第１通信を用いてアップリンク制御信号の通信を行うステップを含む、通信制御方法。
【請求項７】
セルラ通信網に設けられる基地局の下位層と第１通信を行う第１通信部及び
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行う第２通信部を有するユーザ端末で用いるチップセットであって、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行う制御部を備え、
前記制御部は、前記セルラ・ＷＬＡＮアグリゲーションにおいて、前記第２通信を用いずに前記第１通信を用いてアップリンク制御信号の通信を行う、チップセット。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
セルラ通信網に設けられる基地局の下位層と第１通信を行う第１通信部と、
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行う第２通信部と、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行う制御部とを備え、
前記制御部は、前記セルラ・ＷＬＡＮアグリゲーションにおいて、前記第２通信を用いずに前記第１通信を用いてアップリンク制御信号の通信を行い、
前記第１通信部は、前記第２通信に関する報告を前記第１通信によって前記基地局に通知し、
前記報告は、前記第２通信の接続失敗を示し、かつ、前記接続失敗の理由を含み、
前記報告は、前記接続失敗の理由として、前記第２通信の無線環境の要因に起因する第１理由及び前記第２通信の無線環境の要因に限定されない第２理由を含み得る、ユーザ端末。
【請求項２】
前記第１理由は、前記第２通信における周波数帯の干渉状況及び前記アクセスポイントから受信する信号の強度の少なくともいずれか１つを含み、
前記第２理由は、前記第２通信における送受信の失敗及び前記アクセスポイントとの接続の断絶の少なくともいずれか１つを含む、請求項１に記載のユーザ端末。
【請求項３】
前記報告は、前記第２通信に関する測定結果を含む、請求項１に記載のユーザ端末。
【請求項４】
セルラ通信網に設けられる基地局の下位層と第１通信を行うステップＡと、
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行うステップＢと、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行うステップＣとを備え、
前記ステップＣは、前記セルラ・ＷＬＡＮアグリゲーションにおいて、前記第２通信を用いずに前記第１通信を用いてアップリンク制御信号の通信を行うステップを含み、
前記ステップＡは、前記第２通信に関する報告を前記第１通信によって前記基地局に通知するステップを含み、
前記報告は、前記第２通信の接続失敗を示し、かつ、前記接続失敗の理由を含み、
前記報告は、前記接続失敗の理由として、前記第２通信の無線環境の要因に起因する第１理由及び前記第２通信の無線環境の要因に限定されない第２理由を含み得る、通信制御方法。
【請求項５】
セルラ通信網に設けられる基地局の下位層と第１通信を行う第１通信部及び
ＷＬＡＮ（Ｗｉｒｅｌｅｓｓ  Ｌｏｃａｌ  Ａｒｅａ  Ｎｅｔｗｏｒｋ）に設けられており、前記基地局とバックホールを介して接続されたアクセスポイントと第２通信を行う第２通信部を有するユーザ端末で用いるチップセットであって、
前記基地局において前記下位層よりも上位に設けられるＰＤＣＰ（Ｐａｃｋｅｔ  Ｄａｔａ  Ｃｏｎｖｅｒｇｅｎｃｅ  Ｐｒｏｔｏｃｏｌ）層を含む上位層で分岐されるダウンリンクトラフィックの通信を前記第１通信及び前記第２通信の双方を用いて行うセルラ・ＷＬＡＮアグリゲーションを行う制御部を備え、
前記制御部は、前記セルラ・ＷＬＡＮアグリゲーションにおいて、前記第２通信を用いずに前記第１通信を用いてアップリンク制御信号の通信を行い、
前記第１通信部は、前記第２通信に関する報告を前記第１通信によって前記基地局に通知し、
前記報告は、前記第２通信の接続失敗を示し、かつ、前記接続失敗の理由を含み、
前記報告は、前記接続失敗の理由として、前記第２通信の無線環境の要因に起因する第１理由及び前記第２通信の無線環境の要因に限定されない第２理由を含み得る、チップセット。
【国際調査報告】
2016013591.tif 000028
2016013591.tif 000029
2016013591.tif 000030
2016013591.tif 000031
2016013591.tif 000032